(57)【特許請求の範囲】
【請求項１】
データ伝送方法であって、
基地局によって、ユーザ機器によって送られたローカル・ブレイクアウト（Local  Breakout，ＬＢＯ）サービスデータを受け、該ＬＢＯサービスデータは、第１サーバのインターネット・プロトコル（Internet  Protocol，ＩＰ）アドレスに関する情報を搬送する、ことと、
前記基地局において記憶されている、前記第１サーバのＩＰアドレスとゲートウェイのＩＰアドレスとの間の対応に関するＬＢＯマッピング情報が、前記ＬＢＯサービスデータで搬送された前記第１サーバのＩＰアドレスに対応する１つのゲートウェイのＩＰアドレスを含まない場合に、前記基地局によって、前記ＬＢＯサービスデータで搬送された前記第１サーバのＩＰアドレスと前記１つのゲートウェイのＩＰアドレスとの間の対応に関する情報を供給するよう要求する第２メッセージをＬＢＯコントローラへ送信することと、
前記基地局によって、前記ＬＢＯコントローラによって送られた第１メッセージを受け、該第１メッセージは、前記ＬＢＯサービスデータで搬送された前記第１サーバのＩＰアドレスと前記１つのゲートウェイのＩＰアドレスとの間の対応に関する情報を有し、前記１つのゲートウェイは、前記ＬＢＯサービスデータを前記第１サーバへ転送するゲートウェイである、ことと、
前記基地局によって、前記ＬＢＯサービスデータを前記第１サーバへ転送する前記１つのゲートウェイを決定し、前記ＬＢＯサービスデータを前記１つの決定されたゲートウェイへ送ることと
を有する方法。
【請求項２】
前記第２メッセージは、前記第１サーバの前記ＩＰアドレスに関する前記情報、前記ユーザ機器の識別情報、及び前記基地局のＩＰアドレスに関する情報、のうちの少なくとも１つを有する、
請求項１に記載の方法。
【請求項３】
当該方法は、前記基地局によって前記ユーザ機器によって送られた前記ＬＢＯサービスデータを受ける前に、
前記基地局によって、前記ＬＢＯコントローラから、前記１つのゲートウェイを含む少なくとも１つのゲートウェイへのデータプレーン接続を構築するよう前記基地局に指示する第１トンネル構築通知メッセージを受け、該第１トンネル構築通知メッセージは、前記基地局のＩＰアドレスに関する情報、前記基地局のポート情報、前記ゲートウェイの前記ＩＰアドレスに関する情報、及び前記ゲートウェイのポート情報を有する、ことと、
前記基地局によって前記少なくとも１つのゲートウェイへのデータプレーン接続を構築することと
を更に有する、
請求項１又は２に記載の方法。
【請求項４】
当該方法は、
前記ユーザ機器が前記基地局のカバレッジから出る場合に、前記基地局によってイベント通知メッセージを前記ＬＢＯコントローラへ送り、前記イベント通知メッセージは、前記第１サーバの前記ＩＰアドレスに関する前記情報、前記ユーザ機器の識別情報、及び前記基地局のＩＰアドレスに関する情報、のうちの少なくとも１つを有する、ことと、
前記基地局によって、前記ＬＢＯコントローラによって送られた第１削除メッセージを受け、該第１削除メッセージは、前記基地局に記憶されている前記ＬＢＯマッピング情報を削除するように前記基地局に指示するために使用される、ことと、
前記基地局によって、該基地局に記憶されている前記ＬＢＯマッピング情報を削除することと
を更に有する、
請求項１乃至３のうちいずれか一項に記載の方法。
【請求項５】
データ伝送方法であって、
ローカル・ブレイクアウト（Local  Breakout，ＬＢＯ）コントローラによって、ユーザ機器によって送られたＬＢＯサービスデータを受けた基地局から、前記ＬＢＯサービスデータで搬送された第１サーバのインターネット・プロトコル（Internet  Protocol，ＩＰ）アドレスと該ＩＰアドレスに対応する１つのゲートウェイのＩＰアドレスとの間の対応に関する情報を供給するよう要求する第２メッセージを受信することであり、該第２メッセージは、前記基地局において記憶されている、前記第１サーバのＩＰアドレスとゲートウェイのＩＰアドレスとの間の対応に関するＬＢＯマッピング情報が、前記ＬＢＯサービスデータで搬送された前記第１サーバのＩＰアドレスに対応する前記１つのゲートウェイのＩＰアドレスを含まない場合に、前記基地局によって前記ＬＢＯコントローラへ送信される、前記受信することと、
前記ＬＢＯコントローラによって、前記ＬＢＯサービスデータで搬送された前記第１サーバのＩＰアドレスと前記１つのゲートウェイのＩＰアドレスとの間の対応に関する情報を有する第１メッセージを前記基地局へ送ることであり、前記１つのゲートウェイは、前記ＬＢＯサービスデータを前記第１サーバへ転送するゲートウェイである、前記送ることと
を有する方法。
【請求項６】
前記第２メッセージは、前記第１サーバの前記ＩＰアドレスに関する情報、前記ユーザ機器の識別情報、及び前記基地局のＩＰアドレスに関する情報、のうちの少なくとも１つを有する
請求項５に記載の方法。
【請求項７】
当該方法は、前記ＬＢＯコントローラによって前記基地局から前記第２メッセージを受信する前に、
前記ＬＢＯコントローラによって、前記１つのゲートウェイを含む少なくとも１つのゲートウェイへのデータプレーン接続を構築するよう前記基地局に指示する第１トンネル構築通知メッセージを前記基地局へ送り、前記第１トンネル構築通知メッセージは、トンネル情報を有し、該トンネル情報は、前記基地局のＩＰアドレスに関する情報、前記基地局のポート情報、前記ゲートウェイの前記ＩＰアドレスに関する情報、及び前記ゲートウェイのポート情報を有する、ことと、
前記ＬＢＯコントローラによって前記基地局へのデータプレーン接続を構築するよう前記少なくとも１つのゲートウェイに指示する第２トンネル構築通知メッセージを前記少なくとも１つのゲートウェイへ送り、前記第２トンネル構築通知メッセージは、前記トンネル情報を有し、前記第１トンネル構築通知メッセージ及び前記第２トンネル構築通知メッセージは、前記基地局と前記少なくとも１つのゲートウェイとの間のデータプレーントンネルを構築するために使用される、ことと
を更に有する、
請求項５又は６に記載の方法。
【請求項８】
当該方法は、
前記基地局と前記１つのゲートウェイを含む少なくとも１つのゲートウェイとの間のデータプレーン接続の構築中に、前記ＬＢＯコントローラによって、前記基地局によって前記ユーザ機器の識別情報の検出に応答して送信されるＬＢＯ情報に基づいて、前記基地局のＩＰアドレス及びポート情報並びに前記少なくとも１つのゲートウェイのＩＰアドレス及びポート情報を含むトンネル情報を決定し、該決定されたトンネル情報及び前記ＬＢＯ情報に基づいて前記ＬＢＯマッピング情報を構築することと、
前記ＬＢＯコントローラによって、前記ＬＢＯマッピング情報を前記基地局及び前記少なくとも１つのゲートウェイへ送ることと
を更に有する、
請求項５又は６に記載の方法。
【請求項９】
当該方法は、
前記ＬＢＯコントローラによって、前記基地局によって該基地局のカバレッジから前記ユーザ機器が出ることに応答して送られたイベント通知メッセージを受け、該イベント通知メッセージは、前記第１サーバの前記ＩＰアドレスに関する情報、ユーザ機器の識別情報、及び前記基地局のＩＰアドレスに関する情報、のうちの少なくとも１つを有する、ことと、
前記ＬＢＯコントローラによって、前記基地局に記憶されている前記ＬＢＯマッピング情報を削除するよう前記基地局に指示する第１削除メッセージを前記基地局へ送ることと
を更に有する、
請求項５乃至８のうちいずれか一項に記載の方法。
【請求項１０】
当該方法は、前記ＬＢＯコントローラによって、前記１つのゲートウェイを含む少なくとも１つのゲートウェイに記憶されている前記ＬＢＯマッピング情報を削除するよう前記少なくとも１つのゲートウェイに指示する第２削除メッセージを前記少なくとも１つのゲートウェイへ送ることを更に有する、
請求項９に記載の方法。
【請求項１１】
前記１つのゲートウェイによって、前記基地局によって送られた前記ＬＢＯサービスデータを受け、該ＬＢＯサービスデータは、前記第１サーバの前記ＩＰアドレスに関する情報を搬送する、ことと、
前記ゲートウェイによって前記ＬＢＯサービスデータを前記第１サーバへ送ることと
を更に有する、
請求項１乃至４のうちいずれか一項に記載の方法。
【請求項１２】
当該方法は、前記１つのゲートウェイによって前記基地局によって送られた前記ＬＢＯサービスデータを受ける前に、
前記１つのゲートウェイによって、前記ＬＢＯコントローラから、前記基地局へのデータプレーン接続を構築するよう前記１つのゲートウェイに指示する第２トンネル構築通知メッセージを受け、該第２トンネル構築通知メッセージは、前記基地局のＩＰアドレスに関する情報、前記基地局のポート情報、前記ゲートウェイのＩＰアドレスに関する情報、及び前記ゲートウェイのポート情報を有する、ことと、
前記ゲートウェイによって前記第２トンネル構築通知メッセージに基づき前記基地局へのデータプレーン接続を構築することと
を更に有する、
請求項１１に記載の方法。
【請求項１３】
当該方法は、前記１つのゲートウェイによって、前記基地局とのデータプレーン接続の構築中に、前記ＬＢＯコントローラによって送られた前記ＬＢＯマッピング情報を受けることを更に有する、
請求項１２に記載の方法。
【請求項１４】
当該方法は、
前記ゲートウェイによって、前記ＬＢＯコントローラから、前記１つのゲートウェイに記憶されている前記ＬＢＯマッピング情報を削除するよう前記１つのゲートウェイに指示する第２削除メッセージを受ける、ことと、
前記１つのゲートウェイによって、該１つのゲートウェイに記憶されている前記ＬＢＯマッピング情報を削除することと
を更に有する、
請求項１３に記載の方法。
【請求項１５】
基地局であって、
ユーザ機器によって送られたローカル・ブレイクアウト（Local  Breakout，ＬＢＯ）サービスデータを受けるよう構成される無線トランシーバであり、前記ＬＢＯサービスデータは、第１サーバのインターネット・プロトコル（Internet  Protocol，ＩＰ）アドレスに関する情報を搬送する、前記無線トランシーバと、
当該基地局において記憶されている、前記第１サーバのＩＰアドレスとゲートウェイのＩＰアドレスとの間の対応に関するＬＢＯマッピング情報が、前記ＬＢＯサービスデータで搬送された前記第１サーバのＩＰアドレスに対応する１つのゲートウェイのＩＰアドレスを含まない場合に、前記ＬＢＯサービスデータで搬送された前記第１サーバのＩＰアドレスと前記１つのゲートウェイのＩＰアドレスとの間の対応に関する情報を供給するよう要求する第２メッセージをＬＢＯコントローラへ送信するよう構成される送信器と、
前記ＬＢＯコントローラによって送られた第１メッセージを受けるよう構成される受信器であり、前記第１メッセージは、前記ＬＢＯサービスデータで搬送された前記第１サーバのＩＰアドレスと前記１つのゲートウェイのＩＰアドレスとの間の対応に関する情報を有し、前記１つのゲートウェイは、前記ＬＢＯサービスデータを前記第１サーバへ転送するゲートウェイである、前記受信器と
を有し、
前記送信器は、前記ＬＢＯサービスデータを前記１つのゲートウェイへ送るよう更に構成される、
基地局。
【請求項１６】
前記第２メッセージは、前記第１サーバの前記ＩＰアドレスに関する前記情報、前記ユーザ機器の識別情報、及び当該基地局のＩＰアドレスに関する情報、のうちの少なくとも１つを有する、
請求項１５に記載の基地局。
【請求項１７】
当該基地局は、プロセッサを有し、
前記受信器は更に、前記ユーザ機器によって送られた前記ＬＢＯサービスデータを受ける前に、前記ＬＢＯコントローラから、前記１つのゲートウェイを含む少なくとも１つのゲートウェイへのデータプレーン接続を構築するよう当該基地局に指示する第１トンネル構築通知メッセージを受けるよう構成され、前記第１トンネル構築通知メッセージは、当該基地局のＩＰアドレスに関する情報、当該基地局のポート情報、前記ゲートウェイの前記ＩＰアドレスに関する情報、及び前記ゲートウェイのポート情報を有し、
前記プロセッサは、前記少なくとも１つのゲートウェイへのデータプレーン接続を構築するよう構成される、
請求項１５又は１６に記載の基地局。
【請求項１８】
当該基地局は、プロセッサを有し、
前記送信器は更に、前記ユーザ機器が当該基地局のカバレッジから出る場合に、イベント通知メッセージを前記ＬＢＯコントローラへ送るよう構成され、前記イベント通知メッセージは、前記第１サーバの前記ＩＰアドレスに関する前記情報、前記ユーザ機器の識別情報、及び当該基地局のＩＰアドレスに関する情報、のうちの少なくとも１つを有し、
前記受信器は更に、前記ＬＢＯコントローラによって送られた第１削除メッセージを受けるよう構成され、前記第１削除メッセージは、当該基地局に記憶されている前記ＬＢＯマッピング情報を削除するように当該基地局に指示するために使用され、
前記プロセッサは、当該基地局に記憶されている前記ＬＢＯマッピング情報を削除するよう構成される、
請求項１５乃至１７のうちいずれか一項に記載の基地局。
【請求項１９】
ローカル・ブレイクアウト（Local  Breakout，ＬＢＯ）コントローラであって、
ユーザ機器によって送られたＬＢＯサービスデータを受けた基地局から、前記ＬＢＯサービスデータで搬送された第１サーバのインターネット・プロトコル（Internet  Protocol，ＩＰ）アドレスと該ＩＰアドレスに対応する１つのゲートウェイのＩＰアドレスとの間の対応に関する情報を供給するよう要求する第２メッセージを受信するよう構成される受信器であり、該第２メッセージは、前記基地局において記憶されている、前記第１サーバのＩＰアドレスとゲートウェイのＩＰアドレスとの間の対応に関するＬＢＯマッピング情報が、前記ＬＢＯサービスデータで搬送された前記第１サーバのＩＰアドレスに対応する前記１つのゲートウェイのＩＰアドレスを含まない場合に、前記基地局によって当該ＬＢＯコントローラへ送信される、前記受信器と、
前記ＬＢＯサービスデータで搬送された前記第１サーバのＩＰアドレスと前記１つのゲートウェイのＩＰアドレスとの間の対応に関する情報を有する第１メッセージを前記基地局へ送るよう構成される送信器とを有し、
前記１つのゲートウェイは、前記ＬＢＯサービスデータを前記第１サーバへ転送するゲートウェイである、
ＬＢＯコントローラ。
【請求項２０】
前記第２メッセージは、前記第１サーバの前記ＩＰアドレスに関する情報、ユーザ機器の識別情報、及び前記基地局のＩＰアドレスに関する情報、のうちの少なくとも１つを有する
請求項１９に記載のＬＢＯコントローラ。
【請求項２１】
前記送信器は更に、前記受信器が前記基地局から前記第２メッセージを受信する前に、前記１つのゲートウェイを含む少なくとも１つのゲートウェイへのデータプレーン接続を構築するよう前記基地局に指示する第１トンネル構築通知メッセージを前記基地局へ送り、前記第１トンネル構築通知メッセージは、トンネル情報を有し、該トンネル情報は、前記基地局のＩＰアドレスに関する情報、前記基地局のポート情報、前記ゲートウェイの前記ＩＰアドレスに関する情報、及び前記ゲートウェイのポート情報を有し、
前記送信器は更に、前記基地局へのデータプレーン接続を構築するよう前記少なくとも１つのゲートウェイに指示する第２トンネル構築通知メッセージを前記ゲートウェイへ送るよう構成され、前記第２トンネル構築通知メッセージは、前記トンネル情報を有し、前記第１トンネル構築通知メッセージ及び前記第２トンネル構築通知メッセージは、前記基地局と前記ゲートウェイとの間のデータプレーントンネルを構築するために使用される、
請求項１９又は２０に記載のＬＢＯコントローラ。
【請求項２２】
前記基地局と前記１つのゲートウェイを含む少なくとも１つのゲートウェイとの間のデータプレーン接続の構築中に、前記基地局によって前記ユーザ機器の識別情報の検出に応答して送信されるＬＢＯ情報に基づいて、前記基地局のＩＰアドレス及びポート情報並びに前記少なくとも１つのゲートウェイのＩＰアドレス及びポート情報を含むトンネル情報を決定し、該決定されたトンネル情報及び前記ＬＢＯ情報に基づいて前記ＬＢＯマッピング情報を構築するよう構成されるプロセッサを更に有し、
前記送信器は更に、前記ＬＢＯマッピング情報を前記基地局及び前記少なくとも１つのゲートウェイへ送るよう構成される、
請求項１９又は２０に記載のＬＢＯコントローラ。
【請求項２３】
前記受信器は、前記基地局によって該基地局のカバレッジから前記ユーザ機器が出ることに応答して送られたイベント通知メッセージを受けるよう構成され、前記イベント通知メッセージは、前記第１サーバの前記ＩＰアドレスに関する情報、ユーザ機器の識別情報、及び前記基地局のＩＰアドレスに関する情報、のうちの少なくとも１つを有し、
前記送信器は更に、前記基地局に記憶されている前記ＬＢＯマッピング情報を削除するよう前記基地局に指示する第１削除メッセージを前記基地局へ送るよう構成される、
請求項１９乃至２２のうちいずれか一項に記載のＬＢＯコントローラ。
【請求項２４】
前記送信器は更に、前記１つのゲートウェイを含む少なくとも１つのゲートウェイに記憶されている前記ＬＢＯマッピング情報を削除するよう前記少なくとも１つのゲートウェイに指示する第２削除メッセージを前記ゲートウェイへ送るよう構成される、
請求項２３に記載のＬＢＯコントローラ。
【請求項２５】
請求項１５乃至１８のうちいずれか一項に記載の基地局と、
請求項１９乃至２４のうちいずれか一項に記載のＬＢＯコントローラと、
前記基地局によって送られた前記ＬＢＯサービスデータを受けるよう構成される受信器であり、該ＬＢＯサービスデータは、前記第１サーバの前記ＩＰアドレスに関する情報を搬送する、前記受信器と、前記ＬＢＯサービスデータを前記第１サーバへ送るよう構成される送信器とを有するゲートウェイと
を有する通信システム。
【発明の詳細な説明】
【技術分野】
【０００１】
本願は、通信分野に、特に、データ伝送方法、基地局、ローカル・ブレイクアウト（Local  Breakout，ＬＢＯ）コントローラ、ゲートウェイ、及びシステムに関係がある。
【背景技術】
【０００２】
スマートフォンの普及とともに、モバイルコマースもますます成熟している。インターネットを使用することによって様々なアプリケーションサービスをユーザ機器（User  Equipment，ＵＥ）に提供するＯＴＴ（Over  The  Top）ベンダーは、公衆データ網ゲートウェイ（Public  Data  Network  GateWay，ＰＧＷ）の前にサービスゲートウェイを配備し、サービスゲートウェイをＰＧＷからマクロ基地局へ展開して、ＯＴＴベンダーの利益を増大させることを期待する。例えば、一例として携帯電話ゲームを用いると、適切な位置にあるゲームサーバは、ユーザ機器に近いサービスゲートウェイと交信することによって、より良く選択される。このように、無線サイト（例えば、基地局）は、ローカルサービスを提供するための要件及びシナリオを有している。
【０００３】
先行技術では、ローカル転送サービスは、第３世代パートナーシップ・プロジェクト（The  third  Generation  Partnership  Project，３ＧＰＰ）ＴＲ２３．８２９で定義されている。しかし、モビリティ管理エンティティ（Mobility  Management  Entity，ＭＭＥ）が、アクセス・ポイント名（Access  Point  Name，ＡＰＮ）を使用することによって、コアネットワークＰＧＷ又はローカル（local）公衆データ網ゲートウェイＬ−ＰＧＷにおいて配備されるよう選択される必要があり、それにより、特定のＡＰＮが、異なるサービスに基づきユーザ機器（User  Equipment，ＵＥ）に対して更に設定される必要がある。
【０００４】
しかし、現在のＵＥは、一般に、複数のＡＰＮの設定をサポートせず、パケットデータ収束プロトコル（Packet  Data  Convergence  Protocol，ＰＤＣＰ）が複数回アクティブにされ、異なるＡＰＮが異なるアプリケーションごとにセットされる必要がある。結果として、アプリケーション（Application，ＡＰＰ）を使用及び推進することは困難である。
【発明の概要】
【０００５】
本願は、ＵＥに対する更なる設定を実行せずにＬＢＯサービス伝送が実行され得るようなデータ伝送方法、基地局、ローカル・ブレイクアウトコントローラ、ゲートウェイ、及びシステムを提供し、それによって、ユーザ機器が複数のＡＰＮの設定をサポートしないためにＬＢＯサービスが実行され得ないという問題を解消する。
【０００６】
本願の実施形態は、データ伝送方法を提供する。当該方法は、
基地局によって、ユーザ機器によって送られたＬＢＯサービスデータを受け、該ＬＢＯサービスデータは、第１サーバのインターネット・プロトコル（Internet  Protocol，ＩＰ）アドレスに関する情報を搬送する、ことと、
前記基地局によって、ＬＢＯコントローラによって送られた第１メッセージを受け、該第１メッセージは、前記第１サーバの前記ＩＰアドレスとゲートウェイのＩＰアドレスとの間の対応に関する情報を含み、前記ゲートウェイは、前記ＬＢＯサービスデータを前記第１サーバへ転送するゲートウェイである、ことと、
前記基地局によって前記ＬＢＯサービスデータを前記ゲートウェイへ送ることと
を含む。
【０００７】
第１サーバはローカル・サーバである。具体的に言えば、第１サーバは、基地局及びユーザ機器の位置の近くに配置されたサーバである。ゲートウェイはローカル・ゲートウェイであり、基地局へのデータチャネルを構築し、ユーザ機器のＬＢＯサービスデータをローカル・サーバへ転送するよう構成される。
【０００８】
本願のこの実施形態で提供されるデータ伝送方法によれば、基地局は、ユーザ機器によって送信されたＬＢＯサービスデータを受信し、ＬＢＯサービスデータで搬送された第１サーバのＩＰアドレスに関する情報、及び第１サーバのＩＰアドレスとゲートウェイのＩＰアドレスとの間の対応に基づき、ＬＢＯサービスデータを転送するゲートウェイを決定し、決定されたゲートウェイを使用することによってＬＢＯサービスデータを第１サーバへ転送し、それにより、ＬＢＯサービスは、ＵＥに対する更なる設定を実行せずに実行され得る。従って、ユーザ機器が複数のＡＰＮの設定をサポートしないためにＬＢＯサービスが実行され得ないという問題は解消され、それによって、既存の３ＧＰＰ標準プロトコルを変更せずにＬＢＯサービスを柔軟に展開し、且つ、オペレータによって実行されるＬＢＯサービス推進を容易にする。その上、先行技術においてＬＢＯサービスをサポートしローカルトラフィックを転送するためにセントラル・ゲートウェイ（Central  Gateway，ＣＧＷ）をアップグレード及び再設定することと比べて、ＣＧＷ配置費用は削減される。
【０００９】
第１の態様を参照して、第１の態様の第１の可能な実施において、前記基地局によって、ＬＢＯコントローラによって送られた第１メッセージを受けることより前に、当該方法は、前記基地局によって第２メッセージを前記ＬＢＯコントローラへ送ることを更に含み、前記第２メッセージは、前記第１サーバの前記ＩＰアドレスに関する前記情報、前記ユーザ機器の識別情報、及び前記基地局のＩＰアドレスに関する情報、のうちの少なくとも１つを含み、それにより、前記ＬＢＯコントローラは、前記第２メッセージに基づき前記第１メッセージを前記基地局へ送る。
【００１０】
第１の態様又は第１の態様の第１の可能な実施を参照して、第１の態様の第２の可能な実施において、当該方法は、前記基地局によって、前記ＬＢＯコントローラによって送られる少なくとも１つのサーバのＩＰアドレスに関する情報を受けることを更に含んでよく、前記少なくとも１つのサーバは、前記第１サーバを含む。ＬＢＯコントローラによって送られる少なくとも１つのサーバのＩＰアドレスに関する情報を受け取った後、基地局はその情報を保持し、それにより、基地局は、ＬＢＯサービスデータで搬送された第１サーバのＩＰアドレスに関する情報に基づき、ＬＢＯサービスデータを第１サーバへ転送するゲートウェイを得る。プロセスは、ネットワーキング中に実施されても、又はある期間に周期的に実行されてもよい。
【００１１】
第１の態様又は第１の態様の可能な実施のうちのいずれか１つを参照して、第１の態様の第３の可能な実施において、当該方法は、前記基地局によって前記ＬＢＯコントローラへの第１制御プレーン接続を構築することを更に含んでよい。制御プレーン接続は、基地局と第１サーバとの間の通信中に情報を報告及び管理するために使用される制御チャネルの構築である。
【００１２】
第１の態様又は第１の態様の可能な実施のうちのいずれか１つを参照して、第１の態様の第４の可能な実施において、当該方法は、前記基地局によって、前記ＬＢＯコントローラによって送られた第３メッセージを受け、該第３メッセージは、前記基地局の前記ＩＰアドレスに関する前記情報、前記基地局のポート情報、前記ゲートウェイの前記ＩＰアドレスに関する情報、及び前記ゲートウェイのポート情報を含むことができる、ことと、前記基地局によって前記第３メッセージに基づき前記ゲートウェイへのデータプレーン接続を構築することとを更に含んでよく、構築されたデータプレーン接続は、ＬＢＯサービスデータを伝えるために使用される、構築されたデータプレーントンネルとも呼ばれ得る。任意に、本願のこの実施形態で、第３メッセージは、トンネル構築通知メッセージであってよい。
【００１３】
第１の態様又は第１の態様の可能な実施のうちのいずれか１つを参照して、第１の態様の第５の可能な実施において、当該方法は、前記基地局によって第４メッセージを前記ＬＢＯコントローラへ送り、前記第４メッセージは、前記第１サーバの前記ＩＰアドレスに関する前記情報、前記ユーザ機器の前記識別情報、及び前記基地局の前記ＩＰアドレスに関する前記情報を含む、ことと、前記基地局によって、前記ＬＢＯコントローラによって送られた第５メッセージを受け、該第５メッセージは、前記第１サーバの前記ＩＰアドレスと前記ゲートウェイの前記ＩＰアドレスとの間の前記対応に関する前記情報を削除するように前記基地局に指示するために使用される、ことと、前記基地局によって、前記第５メッセージに基づき、前記第１サーバの前記ＩＰアドレスと前記ゲートウェイの前記ＩＰアドレスとの間の前記対応に関する前記情報を削除することとを更に含む。
【００１４】
第２の態様によれば、本願の実施形態は、データ伝送方法を提供する。当該方法は、ローカル・ブレイクアウトＬＢＯコントローラによって第１メッセージを基地局へ送ることを含み、前記第１メッセージは、第１サーバのインターネット・プロトコルＩＰアドレスとゲートウェイのインターネット・プロトコルＩＰアドレスとの間の対応に関する情報を含み、前記第１メッセージは、ＬＢＯサービスデータを伝えるために使用され、前記ゲートウェイは、前記ＬＢＯサービスデータを前記第１サーバへ転送するゲートウェイであり、それにより、ユーザ機器によって送られた前記ＬＢＯサービスデータを受信する場合に、前記基地局は、前記ＬＢＯサービスデータで運ばれた前記第１サーバの前記ＩＰアドレスに関する情報と、前記第１メッセージとに基づき、前記ＬＢＯサービスデータを前記第１サーバへ転送する前記ゲートウェイを決定する。従って、ＬＢＯサービスは、ＵＥに対して追加の設定を実行せずに実行可能であり、それによって、ユーザ機器が複数のＡＰＮの設定をサポートしないためにＬＢＯサービスが実行され得ないという問題が、解消される。ＬＢＯサービスは、既存の３ＧＰＰ標準プロトコルを変更せずに十分な配置され、オペレータによって実行されるＬＢＯサービス推進は、容易にされる。その上、先行技術においてＬＢＯサービスをサポートしローカルトラフィックを転送するためにセントラル・ゲートウェイＣＧＷをアップグレード及び再設定することと比べて、ＣＧＷ配置費用は削減される。
【００１５】
第２の態様を参照して、第２の態様の第１の可能な実施において、ＬＢＯコントローラによって第１メッセージを基地局へ送ることより前に、当該方法は、前記ＬＢＯコントローラによって、前記基地局によって送られた第２メッセージを受けることを更に含み、前記第２メッセージは、前記第１サーバの前記ＩＰアドレスに関する情報、ユーザ機器の識別情報、及び前記基地局のＩＰアドレスに関する情報、のうちの少なくとも１つを含み、それにより、前記ＬＢＯコントローラは、前記第２メッセージ基づき前記第１メッセージを前記基地局へ送る。
【００１６】
第２の態様又は第２の態様の第１の可能な実施を参照して、第２の態様の第２の可能な実施において、当該方法は、前記ＬＢＯコントローラによって少なくとも１つのサーバのＩＰアドレスに関する情報を前記基地局へ送ることを更に含み、前記少なくとも１つのサーバは、前記第１サーバを含み、それにより、前記基地局は、情報を受け取った後に該情報を保持する。任意に、前記ＬＢＯコントローラによって少なくとも１つのサーバのＩＰアドレスに関する情報を前記基地局へ送ることは、ネットワーキング中に実施されても、又はある期間に繰り返し実行されてもよい。
【００１７】
第２の態様又は第２の態様の可能な実施のうちのいずれか１つを参照して、第２の態様の第３の可能な実施において、当該方法は、前記ＬＢＯコントローラによって前記基地局への第１制御プレーン接続を構築することと、前記ＬＢＯコントローラによって前記ゲートウェイへの第２制御プレーン接続を構築することとを更に含む。制御プレーン接続は、基地局とゲートウェイとサーバとの間の通信中に情報を報告及び管理するために、ＬＢＯコントローラと基地局との間に構築された制御チャネル、及びＬＢＯコントローラとゲートウェイとの間に構築された制御チャネルである。
【００１８】
第２の態様又は第２の態様の可能な実施のうちのいずれか１つを参照して、第２の態様の第４の可能な実施において、当該方法は、前記ＬＢＯコントローラによって第３メッセージを前記基地局へ送り、前記第３メッセージは、トンネル情報を含み、該トンネル情報は、前記基地局の前記ＩＰアドレスに関する前記情報、前記基地局のポート情報、前記ゲートウェイの前記ＩＰアドレスに関する情報、及び前記ゲートウェイのポート情報を含む、ことと、前記ＬＢＯコントローラによって第４メッセージを前記ゲートウェイへ送り、前記第４メッセージは、前記トンネル情報を含み、前記第３メッセージ及び前記第４メッセージは、前記基地局と前記ゲートウェイとの間のデータプレーントンネルを構築するために使用される、こととを更に含んでよい。任意に、第３メッセージ及び第４メッセージは、基地局とゲートウェイとの間のデータプレーン接続を構築するために、具体的に言えば、基地局とゲートウェイとの間のデータプレーントンネル接続を構築するために、ＬＢＯコントローラによって基地局及びゲートウェイへ別々に送られるトンネル構築通知メッセージであってよい。データプレーントンネルは、ＬＢＯサービスデータを伝えるために使用される。
【００１９】
第２の態様又は第２の態様の第１の可能な実施を参照して、第２の態様の第５の可能な実施において、当該方法は、前記ＬＢＯコントローラによって第５メッセージを前記ゲートウェイへ送ることを更に含み、前記第５メッセージは、前記第１サーバの前記ＩＰアドレスと前記ゲートウェイの前記ＩＰアドレスとの間の前記対応に関する前記情報を含む。
【００２０】
第２の態様又は第２の態様の可能な実施のうちのいずれか１つを参照して、第２の態様の第６の可能な実施において、当該方法は、前記ＬＢＯコントローラによって、前記基地局によって送られた第６メッセージを受け、該第６メッセージは、前記第１サーバの前記ＩＰアドレスに関する前記情報、前記ユーザ機器の前記識別情報、及び前記基地局の前記ＩＰアドレスに関する前記情報、のうちの少なくとも１つを含む、ことと、前記ＬＢＯコントローラによって前記第４メッセージに基づき第７メッセージを前記基地局へ送り、前記第７メッセージは、前記第１サーバの前記ＩＰアドレスと前記ゲートウェイの前記ＩＰアドレスとの間の前記対応に関する前記情報を削除するように指示するために、具体的に言えば、前記第１サーバの前記ＩＰアドレスと前記ゲートウェイの前記ＩＰアドレスとの間の前記対応に関する前記情報を削除するように前記基地局に指示するために使用される、こととを更に含む。任意に、第７メッセージは、削除情報であってよい。
【００２１】
第２の態様の第６の可能な実施を参照して、第２の態様の第７の可能な実施において、当該方法は、前記ＬＢＯコントローラによって第８メッセージを前記ゲートウェイへ送ることを更に含み、前記第８メッセージは、前記第１サーバの前記ＩＰアドレスと前記ゲートウェイの前記ＩＰアドレスとの間の前記対応に関する前記情報を削除するように指示するために、具体的に言えば、前記第１サーバの前記ＩＰアドレスと前記ゲートウェイの前記ＩＰアドレスとの間の前記対応に関する前記情報を削除するように前記ゲートウェイに指示するために使用される。
【００２２】
第３の態様によれば、本願の実施形態は、データ伝送方法を提供する。当該方法は、ゲートウェイによって、基地局によって送られたローカル・ブレイクアウトＬＢＯサービスデータを受け、該ＬＢＯサービスデータは、第１サーバのインターネット・プロトコルＩＰアドレスに関する情報を搬送する、ことと、前記ゲートウェイによって前記ＬＢＯサービスデータを前記第１サーバへ送ることとを含む。対象アドレスが第１サーバである、基地局によって送られるＬＢＯサービスデータを受信する場合に、ゲートウェイは、ＬＢＯサービスデータを第１サーバへ転送する。第１サーバは、ローカル・サーバと呼ばれ得る。具体的に言えば、第１サーバは、ユーザ機器の近くに配置されたサーバである。本願のこの実施形態で提供されるローカル・ブレイクアウトデータ伝送によれば、ＬＢＯサービスは、ＵＥに対して追加の設定を実行せずに実行可能であり、それにより、ユーザ機器が複数のＡＰＮの設定をサポートしないためにＬＢＯサービスが実行され得ないという問題は解消され、それによって、既存の３ＧＰＰ標準プロトコルを変更せずにＬＢＯサービスを柔軟に展開し、且つ、オペレータによって実行されるＬＢＯサービス推進を容易にする。
【００２３】
第３の態様を参照して、第３の態様の第１の可能な実施において、ゲートウェイによって、基地局によってローカル・ブレイクアウトＬＢＯサービスデータを受けることより前に、当該方法は、前記ゲートウェイによってローカル・ブレイクアウトＬＢＯコントローラへの第２制御プレーン接続を構築することを更に含む。第２制御プレーン接続は、基地局とゲートウェイとサーバとの間の通信中に情報を報告及び管理するために、ＬＢＯコントローラとゲートウェイとの間に構築された制御チャネルである。
【００２４】
第３の態様又は第３の態様の第１の可能な実施を参照して、第３の態様の第２の可能な実施において、当該方法は、前記ゲートウェイによって、前記ローカル・ブレイクアウトＬＢＯコントローラによって送られた第１メッセージを受け、該第１メッセージは、前記基地局のインターネット・プロトコルＩＰアドレスに関する情報、前記基地局のポート情報、前記ゲートウェイのインターネット・プロトコルＩＰアドレスに関する情報、及び前記ゲートウェイのポート情報を含む、ことと、前記ゲートウェイによって前記第１メッセージに基づき前記基地局へのデータプレーン接続を構築することとを更に含む。任意に。第１メッセージは、トンネル構築通知メッセージであってよい。
【００２５】
第３の態様又は第３の態様の可能な実施のうちのいずれか１つを参照して、第３の態様の第３の可能な実施において、当該方法は、前記ゲートウェイによって、前記ローカル・ブレイクアウトＬＢＯコントローラによって送られた第２メッセージを受けることを更に含み、前記第２メッセージは、前記第１サーバの前記ＩＰアドレスと前記ゲートウェイの前記ＩＰアドレスとの間の対応に関する情報を含む。
【００２６】
第３の態様を参照して、第３の態様の第４の可能な実施において、当該方法は、前記ゲートウェイによって、前記ＬＢＯコントローラによって送られた第３メッセージを受け、該第３メッセージは、前記第１サーバの前記ＩＰアドレスと前記ゲートウェイの前記ＩＰアドレスとの間の前記対応に関する前記情報を削除するように指示するために使用される、ことと、前記ゲートウェイによって、前記第１サーバの前記ＩＰアドレスと前記ゲートウェイの前記ＩＰアドレスとの間の前記対応に関する前記情報を削除することとを更に含む。
【００２７】
第４の態様によれば、本願の実施形態は、基地局を提供する。当該基地局は、前述の方法の設計における基地局の挙動を実装する機能を備えている。機能は、ハードウェアを使用することによって実装されても、又は対応するソフトウェアを実行するハードウェアによって実装されてもよい。ハードウェア又はソフトウェアは、前述の機能に対応する１つ以上のモジュールを含む。
【００２８】
第５の態様によれば、本願の実施形態は、ローカル・ブレイクアウトコントローラを提供する。当該ローカル・ブレイクアウトコントローラは、前述の方法の設計におけるコントローラの挙動を実装する機能を備えている。機能は、ハードウェアを使用することによって実装されても、又は対応するソフトウェアを実行するハードウェアによって実装されてもよい。ハードウェア又はソフトウェアは、前述の機能に対応する１つ以上のモジュールを含む。
【００２９】
第６の態様によれば、本願の実施形態は、ゲートウェイを提供する。当該ゲートウェイは、前述の方法の設計におけるゲートウェイの挙動を実装する機能を備えている。機能は、ハードウェアを使用することによって実装されても、又は対応するソフトウェアを実行するハードウェアによって実装されてもよい。ハードウェア又はソフトウェアは、前述の機能に対応する１つ以上のモジュールを含む。
【００３０】
第７の態様によれば、本願の実施形態は、基地局を提供する。当該基地局は、無線トランシーバ、送信器、及び受信器を含む。前記無線トランシーバは、当該基地局がユーザ機器と通信すること、例えば、前述の方法における、ユーザ機器によって送られたデータ及び／又はメッセージを受けること、を支援するよう構成される。前記送信器は、当該基地局が前述の方法におけるデータ、情報、又は命令を他のネットワーク要素又はネットワークデバイスへ送ること、例えば、ＬＢＯサービスデータをゲートウェイへ送ること及び／又は情報をＬＢＯコントローラへ送ること、などを支援するよう構成される。前記受信器は、当該基地局が、他のネットワーク要素又はネットワークデバイスによって送られる前述の方法におけるデータ、情報、又は命令を受けること、例えば、ＬＢＯコントローラによって送られた情報を受けること及び／又はゲートウェイによって送られたＬＢＯサービスデータを受けること、などを支援するよう構成される。可能な設計において、当該基地局は、プロセッサを更に含んでもよい。該プロセッサは、当該基地局が前述の方法における対応する機能を実行すること、例えば、前述の方法における、データを生成若しくは処理すること及び／又は情報を信号により伝えることを支援するよう構成される。可能な設計において、当該基地局は、メモリを更に含んでもよい。該メモリは、前記プロセッサへ結合し、当該基地局に必要であるプログラム命令及びデータを記憶するよう構成される。
【００３１】
第８の態様によれば、本願の実施形態は、ローカル・ブレイクアウト（Local  Breakout，ＬＢＯ）コントローラを提供する。当該ローカル・ブレイクアウトコントローラは、送信器を含む。該送信器は、当該ローカル・ブレイクアウトコントローラが前述の方法におけるデータ、情報、又は命令を他のネットワーク要素又はネットワークデバイスへ送信すること、例えば、情報を基地局及び／又はゲートウェイへ送信すること、などを支援するよう構成される。可能な設計において、当該ＬＢＯコントローラは、受信器を更に含んでもよい。該受信器は、当該ＬＢＯコントローラが、他のネットワーク要素又はネットワークデバイスによって送られる前述の方法におけるデータ、情報、又は命令を受けること、例えば、基地局及び／又はゲートウェイによって送られた情報を受けること、などを支援するよう構成される。可能な設計において、当該ＬＢＯコントローラは、プロセッサを更に含んでもよい。該プロセッサは、当該ＬＢＯコントローラが前述の方法における対応する機能を実行すること、例えば、前述の方法における、データを生成若しくは処理すること及び／又は情報を信号により伝えることを支援するよう構成される。可能な設計において、当該ＬＢＯコントローラは、メモリを更に含んでもよい。該メモリは、前記プロセッサへ結合し、当該ＬＢＯコントローラに必要であるプログラム命令及びデータを記憶するよう構成される。
【００３２】
第９の態様によれば、本願の実施形態は、ゲートウェイを提供する。当該ゲートウェイは、送信器及び受信器を含む。前記送信器は、当該ゲートウェイが前述の方法におけるデータ、情報、又は命令を他のネットワーク要素又はネットワークデバイスへ送信すること、例えば、ＬＢＯサービスデータをサーバへ送ること及び／又は情報をＬＢＯコントローラへ送ること、などを支援するよう構成される。前記受信器は、当該ゲートウェイが、他のネットワーク要素又はネットワークデバイスによって送られる前述の方法におけるデータ、情報、又は命令を受けること、例えば、基地局によって送られたＬＢＯサービスデータを受けること及び／又はＬＢＯコントローラによって送られた情報を受けること、などを支援するよう構成される。可能な設計において、当該ゲートウェイは、プロセッサを更に含んでもよい。該プロセッサは、当該ゲートウェイが前述の方法における対応する機能を実行すること、例えば、前述の方法における、データ、シグナリング情報、などを受信又は送信することを支援するよう構成される。可能な設計において、当該ゲートウェイは、メモリを更に含んでもよい。該メモリは、前記プロセッサへ結合し、当該ゲートウェイに必要であるプログラム命令及びデータを記憶するよう構成される。
【００３３】
第１０の態様によれば、本願の実施形態は、通信システムを提供する。当該システムは、第７の態様又は第７の態様の可能な実施のうちのいずれか１つに従う少なくとも１つの基地局と、第８の態様又は第８の態様の可能な実施のうちのいずれか１つに従うＬＢＯコントローラと、第９の態様又は第９の態様の可能な実施のうちのいずれか１つに従うゲートウェイとを含む。前記少なくとも１つの基地局は、ＬＢＯサービスアクセスを提供するよう構成される。前記ＬＢＯコントローラは、前記少なくとも１つの基地局及び前記ゲートウェイを管理及び設定するよう構成される。前記ゲートウェイは、ＬＢＯサービスを担うために基地局へのデータチャネルを構築するよう構成される。可能な設計において、当該通信システムは、ＬＢＯサービスを提供するよう構成される少なくとも１つの第１サーバを更に含む。
【００３４】
第１１の態様によれば、本願の実施形態は、上記の基地局によって使用されるコンピュータソフトウェア命令を記憶するよう構成されるコンピュータ記憶媒体を提供し、当該コンピュータ記憶媒体は、前述の態様を実行するよう設計されたプログラムを含む。
【００３５】
第１２の態様によれば、本願の実施形態は、上記のローカル・ブレイクアウトコントローラによって使用されるコンピュータソフトウェア命令を記憶するよう構成されるコンピュータ記憶媒体を提供し、当該コンピュータ記憶媒体は、前述の態様を実行するよう設計されたプログラムを含む。
【００３６】
第１３の態様によれば、本願の実施形態は、上記のゲートウェイによって使用されるコンピュータソフトウェア命令を記憶するよう構成されるコンピュータ記憶媒体を提供し、当該コンピュータ記憶媒体は、前述の態様を実行するよう設計されたプログラムを含む。
【００３７】
本願の実施形態で提供されるデータ伝送方法、基地局、ＬＢＯコントローラ、ゲートウェイ、及びシステムによれば、基地局は、ＬＢＯコントローラによって送られる、第１サーバのＩＰアドレスとゲートウェイのＩＰアドレスとの間の対応に関する情報と、ユーザ機器によって送られた受け取られたＬＢＯサービスデータと、ＬＢＯサービスデータで搬送された第１サーバのＩＰアドレスに関する情報とに基づき、ＬＢＯサービスデータを第１サーバへ転送するゲートウェイを決定し、それによって、異なるサービスに基づきユーザ機器に対して複数のＡＰＮを設定する必要なしに柔軟にＬＢＯサービスを展開し、且つ、ＬＢＯサービス推進を容易にする。
【図面の簡単な説明】
【００３８】
【図１】本願の実施形態に従うシステムの略構造図である。
【図２】本願の実施形態に従うデータ伝送方法のフローチャートである。
【図３】本願の実施形態に従う他のデータ伝送方法のフローチャートである。
【図４】本願の実施形態に従う他のデータ伝送方法のフローチャートである。
【図５】本願の実施形態に従う更なる他のデータ伝送方法のフローチャートである。
【図６】本願の実施形態に従う基地局の略構造図である。
【図７】本願の実施形態に従う基地局の略構造図である。
【図８】本願の実施形態に従うＬＢＯコントローラの略構造図である。
【図９】本願の実施形態に従う他のＬＢＯコントローラの略構造図である。
【図１０】本願の実施形態に従うゲートウェイの略構造図である。
【図１１】本願の実施形態に従う他のゲートウェイの略構造図である。
【発明を実施するための形態】
【００３９】
本願は、データ伝送方法、基地局、ローカル・ブレイクアウトコントローラ、ゲートウェイ、及びシステムを提供する。本願において、ローカル・ブレイクアウト（Local  Breakout，ＬＢＯ）コントローラ（Controller）及びローカル・ゲートウェイ（Local  Gateway，ＬＧＷ）は、既存の通信ネットワークシステム内で構成され、ＬＧＷ及び、進化型ノードＢ（evolved  NodeB，ｅＮｏｄｅＢ）などの少なくとも１つの基地局は、ＬＢＯコントローラを使用することによって制御及び管理される。基地局は、ＬＢＯサービスを提供し且つ少なくとも１つの基地局間のＬＢＯサービスの切替をサポートするために、ＬＧＷへのローカルトンネルを構築する。
【００４０】
本願の実施形態において、ローカル・ブレイクアウトＬＢＯコントローラは、ＬＢＯ制御ノードとも呼ばれ得る。ローカル・ゲートウェイＬＧＷは、ＬＧＷノードとも呼ばれ得る。上記の説明で言及されているコントローラはＬＢＯコントローラであり、ゲートウェイはＬＧＷであることが留意されるべきである。
【００４１】
本願において、基地局は、様々な形でマクロ基地局、ミクロ基地局、中継ノード、アクセス・ポイント、遠隔無線ユニット（Remote  Radio  unit，ＲＲＵ）、などを含むことができる。確かに、無線通信機能を備えた他のネットワーク側デバイスが、代替的に、ユーザ機器と無線で通信し得る。これは、本願において一意的に制限されるわけではない。異なる無線アクセス技術を使用するシステムでは、基地局の機能を有しているデバイスの名称が異なることがある。例えば、ＬＴＥネットワークでは、デバイスは、進化型ノードＢ（evolved  NodeB，ｅＮＢ又はｅＮｏｄｅＢ）と呼ばれ、３Ｇ（the  3rd  Generation，第３世代）ネットワークでは、デバイスは、ノードＢ（Node  B）と呼ばれる。
【００４２】
本願の実施形態における技術的解決法は、本願の実施形態における添付の図面を参照して以下で記載される。
【００４３】
以下の説明で記載されている順序番号「第１」、「第２」、「第３」、「第４」、「第５」、「第６」、及び「第７」は、メッセージどうしを区別するために使用されており、メッセージを制限しないことが留意されるべきである。
【００４４】
図１は、本願の実施形態に従う通信システムの略構造図である。図１に示されるように、通信システムは、少なくとも１つの基地局１１０、ローカル・ブレイクアウトＬＢＯコントローラ１２０、ゲートウェイ１３０、サーバ（Local  Server）ノード１４０、バックホールベアラネットワーク１５０、進化型パケットコアネットワーク（Evolved  Packet  Core  network，ＥＰＣ）ノード１６０、及びネットワークサービスノード１７０を含む。
【００４５】
本願のこの実施形態において、基地局１１０は、ユーザ機器へ無線で接続され得る。基地局１１０は、標準無線アクセスサービスを提供するよう構成され得る。例えば、４Ｇ又は５Ｇ基地局は無線アクセスサービスを提供し、更には、ＬＢＯサービスアクセスを提供してもよい。
【００４６】
ＬＢＯコントローラ１２０は、基地局１１０及びゲートウェイ１３０を管理及び設定するよう構成される。本願のこの実施形態において、ＬＢＯコントローラ１２０は、論理エンティティであっても、又は独立したネットワーク要素であっても、又は他のネットワーク要素に組み込まれてもよい。例えば、ＬＢＯコントローラ１２０は、基地局１１０に配置されても、又は物理サーバ上に独立して配置されてもよい。ＬＢＯコントローラ１２０は、実際のネットワーキング要件に基づき配置され得る。これは、本願のこの実施形態において制限されない。
【００４７】
本願のこの実施形態において、ＬＢＯコントローラ１２０は、管理される基地局の量がカスケード拡張により増大した後に得られるＬＢＯコントローラであってよく、すなわち、ＬＢＯコントローラ１２０の管理される基地局の量がカスケード拡張により増大し得る。
【００４８】
ゲートウェイ１３０は、ＬＢＯサービスデータを担うために、例えば、ＬＢＯデータ伝送に必要とされるカプセル化、カプセル除去、ルーティング機能、などを実装するために、少なくとも１つの基地局１１０へのデータチャネルを構築するよう構成される。本願のこの実施形態において、ゲートウェイ１３０は、論理エンティティであっても、又は独立したネットワーク要素であっても、又は他のネットワーク要素に組み込まれてもよい。例えば、ゲートウェイ１３０は、少なくとも１つの基地局１１０のいずれかに配置されても、又は物理サーバ上に独立して配置されてもよい。
【００４９】
サーバノード１４０はＬＢＯサービスサーバであり、ユーザ機器上のアプリケーションがサーバと通信し得る。ＥＰＣノード１６０は、標準データチャネルを基地局１１０へ提供し、データをネットワークサービスノード１７０へ送信する。
【００５０】
ネットワークサービスノード１７０は、ネットワーク内のサーバであり、ユーザ機器にインストールされているアプリケーションのサーバと通信するよう構成される。
【００５１】
本願のこの実施形態において、ゲートウェイ１３０及びサーバノード１４０は、ユーザ機器及び基地局の位置の近くに配置されているゲートウェイ及びサーバであり、ゲートウェイ１３０及びサーバノード１４０の配置位置は、コアネットワークから遠く離れていることが留意されるべきである。本願のこの実施形態において、ゲートウェイは、代替的に、ローカル・ゲートウェイと呼ばれ得る。サーバノードは、代替的に、ローカル・サーバノードと呼ばれ得る。
【００５２】
その上、本願のこの実施形態において、システムは、複数のゲートウェイ１３０及び複数のサーバノード１４０を含むことができる。図１に示されるシステムは、単に、本願の技術的解決法を記載するために使用され、システムに含まれ得るゲートウェイ１３０の量及びサーバノード１４０の量を制限しない。
【００５３】
図２は、本願の実施形態に従うデータ伝送方法のフローチャートである。図２に示されるように、方法は、次のステップを含むことができる。
【００５４】
Ｓ２１０：基地局が、ユーザ機器によって送信されたローカル・ブレイクアウトＬＢＯサービスデータを受信する。
【００５５】
ＬＢＯサービスデータは、第１サーバのインターネット・プロトコルＩＰアドレスに関する情報を搬送する。第１サーバのＩＰアドレスに関する情報は、第１サーバのＩＰアドレスを示すために使用される。
【００５６】
第１サーバは、ＬＢＯサービスデータが送信されるべき対象サーバである。対象サーバは、サーバ（Local  Server）ノードである。具体的に言えば、対象サーバは、基地局及びユーザ機器の位置の近くに配置されたサーバであり、基地局及びユーザ機器の配置位置は、コアネットワーク内のネットワーク要素ノードから遠く離れている。
【００５７】
Ｓ２２０：基地局が、ＬＢＯコントローラによって送信された第１メッセージを受信する。
【００５８】
第１メッセージは、第１サーバのＩＰアドレスとゲートウェイのＩＰアドレスとの間の対応に関する情報を含み、ゲートウェイは、ＬＢＯサービスデータを第１サーバへ転送するゲートウェイである。
【００５９】
任意に、第１サーバのＩＰアドレスとゲートウェイのＩＰアドレスとの間の対応に関する情報は、ローカル・ブレイクアウトＬＢＯコントローラに対して前もって設定され得る。具体的に、ＬＢＯコントローラは、図１に示される通信システムを展開するよう、基地局の近端に配置され得る。サーバノードのＩＰアドレスとゲートウェイのＩＰアドレスとの間の対応に関する情報は、ＬＢＯコントローラに対して設定され、保持される。任意に、ＬＢＯコントローラは、少なくとも１つのサーバのＩＰアドレスに関する情報を保持してよく、少なくとも１つのサーバは、第１サーバを含む。
【００６０】
ＬＢＯコントローラは、第１サーバのＩＰアドレスとゲートウェイのＩＰアドレスとの間の対応に関する情報を基地局へ送信し、それにより、ユーザ機器によって送信されたＬＢＯサービスデータを受信する場合に、基地局は、ＬＢＯサービスデータで搬送された第１サーバのＩＰアドレスに関する情報と、第１サーバのＩＰアドレスとゲートウェイのＩＰアドレスとの間の対応に関する情報とに基づき、ＬＢＯサービスデータを転送するゲートウェイを決定する。
【００６１】
本願の実施形態において、ＬＢＯコントローラは、代替的に、周期的に第１メッセージを基地局へ送信し得る。特定の周期の存続期間は、実際の要件に基づきセットされ得る。これは本願において制限されない。
【００６２】
Ｓ２３０：基地局がＬＢＯサービスデータをゲートウェイへ送信する。
【００６３】
基地局がＬＢＯサービスデータを第１サーバへ転送するゲートウェイを決定すると、基地局はＬＢＯサービスデータをゲートウェイへ送信する。
【００６４】
Ｓ２４０：ゲートウェイがＬＢＯサービスデータを第１サーバへ送信する。
【００６５】
基地局によって送信されたＬＢＯサービスデータを受信した後、ゲートウェイは、ＬＢＯサービスデータに対してパッケージ及びカプセル化などの処理を実行し、処理されたＬＢＯサービスデータを第１サーバへ転送して、ＬＢＯサービスデータのデータ伝送を実施する。
【００６６】
本願のこの実施形態で提供されるローカル・ブレイクアウトデータ伝送方法によれば、基地局は、ＬＢＯコントローラによって送られる、第１サーバのインターネット・プロトコルＩＰアドレスとゲートウェイのインターネット・プロトコルＩＰアドレスとの間の対応に関する情報と、ユーザ機器によって送られた受け取られたＬＢＯサービスデータと、ＬＢＯサービスデータで搬送された第１サーバのＩＰアドレスに関する情報とに基づき、ＬＢＯサービスデータを第１サーバへ転送するゲートウェイを決定し、それによって、異なるサービスに基づきユーザ機器に対して複数のＡＰＮを設定する必要なしに柔軟にＬＢＯサービスを展開する。その上、先行技術においてリモート・ゲートウェイ（Remote  Gateway，ＲＧＷ）とセンター・ゲートウェイ（Central  Gateway，ＣＧＷ）との間のローカルトラフィック転送と比較して、ＣＧＷの配置費用は削減される。ＣＧＷは、基地局とコアネットワークとを接続するゲートウェイであり、ＣＧＷは、シグナリング・インターフェースを担う。
【００６７】
先行技術では、ＲＧＷによってカバーされるユーザ機器は、デフォルトのベアラでローカルリソース要求を開始し、ＣＧＷは、ＬＢＯサービスをサポートし且つローカルトラフィックを転送するための専用のベアラを構築させるようＲＧＷをトリガする。しかし、ＣＧＷは、通常は、ベアラネットワークのアグリゲーションリングに配置されており、配置位置は、コアネットワーク及びインターネット（Internet）に近く、配置は重く、柔軟でない。その上、従来のコアネットワークは、ローカル・ブレイクアウトＬＢＯサービスをサポートせず、コアネットワークは、ＬＢＯサービスをサポートするようアップグレードされる必要がある。ＬＢＯサービスをサポートするよう既存のサイトを配置する費用は比較的に高く、オペレータによってＬＢＯサービスを推進するにあたっての困難が引き起こされる。コアネットワークがアップグレード及び再設定される場合に、コアネットワークは一時的にサービスを中断する必要がある。結果として、コアネットワークが責任を負うべき数百万のユーザ機器の通常の通信は影響を及ぼされ、アップグレード及び再設定の費用は高い。
【００６８】
本願のこの実施形態において、Ｓ２１０及びＳ２２０の順序は交換され得る。これは、本願のこの実施形態で制限されない。
【００６９】
任意に、本願のこの実施形態において、図２に示されるように、基地局がＬＢＯコントローラによって送信された第１メッセージを受信する前に、方法は、
Ｓ２５０：基地局が第２メッセージをＬＢＯコントローラへ送信する
ことを更に含んでもよい。第２メッセージは、第１サーバのＩＰアドレスに関する情報、ユーザ機器の識別情報、及び基地局のＩＰアドレスに関する情報、のうちの少なくとも１つを含む。
【００７０】
ユーザ機器の識別情報は、ユーザ機器のＩＰアドレスであっても、又はユーザの身元を特定するために使用される他の識別情報であってもよい。
【００７１】
任意に、基地局がユーザ機器によって送信されたＬＢＯサービスデータを受信した後、基地局は最初に、ＬＢＯサービスデータで搬送された第１サーバのＩＰアドレスに対応する第１サーバと、第１サーバのＩＰアドレスとゲートウェイとの間の対応に関する情報とが、サーバのＩＰアドレスとゲートウェイのＩＰアドレスとの間の対応に関する情報に存在するかどうかをクエリする。基地局で保持されている、サーバのＩＰアドレスとゲートウェイのＩＰアドレスとの間の対応に関する情報が、ＬＢＯサービスデータで搬送される第１サーバのＩＰアドレスに対応するゲートウェイのＩＰアドレスを含まない場合には、基地局は、第１サーバのＩＰアドレスとゲートウェイのＩＰアドレスとの間の対応に関する情報を送信するようにＬＢＯコントローラに要求するよう、第２メッセージをＬＢＯコントローラへ送信する。基地局によって送信された第２メッセージを受信した後、ＬＢＯコントローラは、第１サーバのＩＰアドレスとゲートウェイのＩＰアドレスとの間の対応に関する情報を基地局へ送信する。例えば、ＬＢＯサービスデータで搬送される第１サーバのＩＰアドレスに関する情報は、サーバ１のＩＰアドレスであり、基地局は、サーバ１のＩＰアドレスについて、サーバのＩＰアドレスとゲートウェイのＩＰアドレスとの間の対応に関する保持されている情報にクエリする。基地局で保持されている、サーバのＩＰアドレスとゲートウェイのＩＰアドレスとの間の対応に関する情報が、サーバ１のＩＰアドレスと、サーバ１のＩＰアドレスとゲートウェイのＩＰアドレスとの間の対応に関する情報とを含まない場合には、基地局は、サーバ１のＩＰアドレスと対応するゲートウェイのＩＰアドレスとの間の対応に関する情報を要求するよう、要求メッセージをＬＢＯコントローラへ送信する。要求情報を受信した後、ＬＢＯコントローラは、サーバ１のＩＰアドレスと対応するゲートウェイのＩＰアドレスとの間の対応に関する情報を基地局へ送信し、それにより、基地局は、情報に基づき、ＬＢＯサービスデータを転送するゲートウェイを決定し、そして、ＬＢＯサービスデータを送信する。
【００７２】
本願のこの実施形態で提供されるデータ伝送方法は、図３に示されるように、ユーザ機器がセルにキャンプオンする場合、又はユーザ機器が他の基地局からある基地局のサービス範囲領域に入る場合に適用され得る。
【００７３】
図３は、本願の実施形態に従うデータ伝送方法である。方法は、次のステップを含むことができる。
【００７４】
Ｓ３１０：基地局がユーザ機器の識別情報を検出する。ユーザ機器は、基地局のカバレッジに入るユーザ機器、又はＬＢＯサービスを提供することができる基地局によってカバーされるセルにキャンプオンするユーザ機器である。
【００７５】
本願のこの実施形態において、ユーザ機器（User  Equipment，ＵＥ）は、端末（terminal）、端末機器（terminal  equipment）、移動局（mobile  station，ＭＳ）、移動端末（mobile  terminal）、ノートブックコンピュータ、などと呼ばれ得ることが留意されるべきである。ユーザ機器は、無線アクセスネットワーク（radio  access  network，ＲＡＮ）を使用することによって、１つ以上のコアネットワークと通信し得る。例えば、ユーザ機器は、携帯電話機（又は“セルラー”電話機と呼ばれる。）、又は移動端末を備えるコンピュータ、などであってよい。例えば、ユーザ機器は、携帯型、ポケットサイズ、手持ち式、コンピュータ組込型、又は車載型のモバイル装置であってもよい。ユーザ機器は、無線アクセスネットワークと音声及び／又はデータを交換する。
【００７６】
Ｓ３２０：基地局がローカル・ブレイクアウトＬＢＯ情報をＬＢＯコントローラへ送信する。
【００７７】
ＬＢＯ情報は、ユーザ機器の識別情報、第１サーバのＩＰアドレス、及び基地局のインターネット・プロトコルＩＰアドレスを含む。
【００７８】
Ｓ３３０：ＬＢＯコントローラがＬＢＯ情報に基づきトンネル情報を決定する。
【００７９】
トンネル情報は、基地局とゲートウェイとの間のデータプレーン接続の構築中にＬＢＯコントローラによって設定される。
【００８０】
基地局によって送信されたＬＢＯ情報を受信した後、ＬＢＯコントローラは、ＬＢＯ情報に基づき、ローカル・ブレイクアウトＬＢＯマッピング関係情報、具体的に言えば、第１サーバのＩＰアドレスとゲートウェイのＩＰアドレスとの間の対応に関する情報を決定する。ローカル・ブレイクアウトＬＢＯマッピング関係情報は、ＬＢＯ情報とトンネル情報との間の対応に関する情報を含み、具体的に言えば、ＬＢＯコントローラは、ＬＢＯ情報内の基地局のＩＰアドレスに基づき、基地局のＩＰアドレスに対応するトンネル情報（基地局のＩＰアドレス、基地局のポート情報、ゲートウェイのＩＰアドレス、及びゲートウェイのポート情報を含む。）を探す。その上、ローカル・ブレイクアウトＬＢＯマッピング関係情報が、具体的に言えば、基地局に入るユーザ機器のＬＢＯ情報とトンネル情報との間の対応の表が、構築される。
【００８１】
Ｓ３４０：ＬＢＯコントローラがＬＢＯマッピング関係情報を基地局へ送信する。
【００８２】
Ｓ３５０：ＬＢＯコントローラがＬＢＯマッピング関係情報をゲートウェイへ送信する。
【００８３】
ＬＢＯコントローラによって送信されたＬＢＯマッピング関係情報を別々に受信した後、基地局及びゲートウェイは、ユーザ機器のＬＢＯサービスデータのその後の送信を容易にするよう、ＬＢＯマッピング関係情報を記憶する。この実施形態では、ＬＢＯマッピング関係情報は、図２の実施形態における第１サーバのＩＰアドレスとゲートウェイのＩＰアドレスとの間の対応に関する情報に対応し、第１メッセージはＬＢＯマッピング関係情報を含むことができる。
【００８４】
本願の他の実施形態では、ＬＢＯマッピング関係情報は第１情報であるか、あるいは、サーバ設定情報と呼ばれ得る。ＬＢＯマッピング関係情報の具体的な名称は、本願のこの実施形態で制限されない。
【００８５】
本願の実施形態において、基地局は、ＬＢＯコントローラによって送信され、少なくとも１つのサーバのＩＰアドレスに関する情報を含むＬＢＯマッピング関係情報を受信及び記憶する。
【００８６】
本願の実施形態において、ゲートウェイは、ＬＢＯコントローラによって送信され、少なくとも１つのサーバのＩＰアドレスに関する情報を含むＬＢＯマッピング関係情報を受信及び記憶する。通信システム内で、複数の基地局によって送信されるＬＢＯサービスデータを転送するよう構成されたゲートウェイが存在し、ゲートウェイが第１サーバによって送信されたＬＢＯサービスデータを受信するとき、ゲートウェイは、ＬＢＯサービスデータを送信するために、ＬＢＯマッピング関係情報に基づきＬＢＯサービスデータを対応する基地局へ転送する。
【００８７】
本願の実施形態において、ＬＢＯサービスデータの送信前に、方法は、基地局とＬＢＯコントローラとの間の制御プレーン接続と、ゲートウェイとＬＢＯコントローラとの間の制御プレーン接続とを構築すること、具体的に言えば、ＬＢＯコントローラと基地局との間の第１制御プレーン接続を構築し、ＬＢＯコントローラとゲートウェイとの間の第２制御プレーン接続を構築することを更に含む。制御プレーン接続は、基地局と第１サーバとの間の通信中に情報を報告及び管理するために使用される制御チャネルの構築である。
【００８８】
基地局とＬＢＯコントローラとの間の制御プレーン接続、及びゲートウェイとＬＢＯコントローラとの間の制御プレーン接続を構築するプロセスは、ネットワーキング中に実行され得る。例えば、ネットワーキングが実装され、通信システムが電源を投入された後、基地局とＬＢＯコントローラとの間の制御プレーン接続、及びゲートウェイとＬＢＯコントローラとの間の制御プレーン接続が構築される。
【００８９】
任意に、本願の実施形態において、図４に示されるように、基地局とＬＢＯコントローラとの間の制御プレーン接続、及びゲートウェイとＬＢＯコントローラとの間の制御プレーン接続を構築するプロセスは、次のステップを含むことができる。
【００９０】
Ｓ４１０：基地局が第１接続構築要求メッセージをＬＢＯコントローラへ送信する。
【００９１】
第１接続構築要求メッセージは、基地局のＩＰアドレスを含むことができ、それにより、ＬＢＯコントローラは、基地局のＩＰアドレスに基づき制御プレーン接続を実行する。
【００９２】
任意に、本願のこの実施形態において、第１接続構築要求メッセージを受信した後、ＬＢＯコントローラは、ＬＢＯコントローラへの制御プレーン接続を実行するように基地局に指示するよう、フィードバック情報を基地局へ送信してもよい。
【００９３】
Ｓ４２０：ゲートウェイが第２接続構築要求メッセージをＬＢＯコントローラへ送信する。
【００９４】
第２接続構築要求メッセージは、ゲートウェイのＩＰアドレスを含むことができ、それにより、ＬＢＯコントローラは、ゲートウェイのＩＰアドレスに基づき制御プレーン接続を実行する。この実施形態において、第１接続構築要求メッセージ及び第２接続構築要求メッセージは、代替的に、他の名称を有してもよい。これは、本願のこの実施形態で制限されない。
【００９５】
任意に、本願のこの実施形態において、第２接続構築要求メッセージを受信した後、ＬＢＯコントローラは、ＬＢＯコントローラへの制御プレーン接続を実行するようにゲートウェイに指示するよう、フィードバック情報をゲートウェイへ送信してもよい。
【００９６】
ＬＢＯコントローラ及びゲートウェイが基地局の近端に配置される場合に、基地局及びゲートウェイは、ＬＢＯコントローラへの制御プレーン接続を別々に構築する必要があり、すなわち、基地局とＬＢＯコントローラとの間の制御プレーン接続、及びゲートウェイとＬＢＯコントローラとの間の制御プレーン接続が構築される。
【００９７】
ＬＢＯコントローラ及びゲートウェイが基地局の近端に配置されることについて、ここでの「近端」は相対的な概念であることが留意されるべきである。物理的な距離の観点から、ＬＢＯコントローラ、ゲートウェイ、及び基地局は、機器室、セル、又は上海の浦東新区若しくは上海の朝陽区などの地域に配置され得る。「近端」の反対側「遠端」は、コアネットワークに近い物理的位置である。通常、州都がコアネットワークの組を有している。コアネットワークは、数個又は数十個の従属都市の基地局サービスに関与する。基地局に対して、コアネットワークは遠端に配置されている。
【００９８】
この実施形態において、基地局及びゲートウェイは、ユーザ・データグラム・プロトコル（User  Datagram  Protocol，ＵＤＰ）又は伝送制御プロトコル（Transmission  Control  Protocol，ＴＣＰ）などのプロトコルを使用することによって、ＬＢＯコントローラへの制御プレーン接続を別々に構築する。これは、本願のこの実施形態で制限されない。ＩＰアドレスは、制御プレーンＩＰアドレスであっても、又はデータプレーンＩＰアドレスを含んでもよい。これは、本願で制限されない。
【００９９】
任意に、本願の実施形態において、図４に示されるように、方法は、次のステップを更に含むことができる。
【０１００】
Ｓ４３０：ＬＢＯコントローラがトンネル情報を設定する。
【０１０１】
トンネル情報は、基地局のインターネット・プロトコルＩＰアドレスに関する情報、基地局のポート情報、ゲートウェイのＩＰアドレスに関する情報、及びゲートウェイのポート情報を含むことができ、それにより、ＬＢＯコントローラは、ＬＢＯデータ伝送をサポートするよう、データプレーン接続を構築するように基地局及びゲートウェイに指示する。任意に、この実施形態において、ＩＰアドレスは、データプレーンＩＰアドレスであっても、又は制御プレーンＩＰアドレスであっても、又はデータプレーンＩＰアドレス及び制御プレーンＩＰアドレスの両方を含んでもよい。
【０１０２】
Ｓ４４０：ＬＢＯコントローラが、ゲートウェイへのデータプレーン接続を構築するように基地局に指示するよう、第３メッセージを基地局へ送信する。
【０１０３】
Ｓ４５０：ＬＢＯコントローラが、基地局へのデータプレーン接続を構築するようにゲートウェイに指示するよう、第４メッセージをゲートウェイへ送信する。
【０１０４】
本願のこの実施形態において、第３メッセージ及び第４メッセージの夫々は、トンネル情報を含む。第３メッセージ及び第４メッセージは、代替的に、トンネル構築通知メッセージと呼ばれ得る。第３メッセージ及び第４メッセージの具体的な名称は、本願のこの実施形態で制限されない。
【０１０５】
任意に、この実施形態において、方法は、
Ｓ４６０：基地局が、基地局とゲートウェイとの間のデータプレーントンネルを構築するよう、トンネル構築要求メッセージをゲートウェイへ送信する
ことを更に含んでもよい。
【０１０６】
本願のこの実施形態において、ＬＢＯコントローラ及びゲートウェイがシステム内で設定され、基地局とＬＢＯコントローラとの間の制御プレーン接続、及びゲートウェイとＬＢＯコントローラとの間の制御プレーン接続、並びに基地局とゲートウェイとの間のデータプレーントンネルは、ＬＢＯサービスを担うよう実装され、それによって、既存の３ＧＰＰ標準プロトコルを変更せずにＬＢＯサービスを柔軟に展開し、オペレータによって実行されるＬＢＯサービス推進を容易にし、且つ、ネットワーク配置費用を削減する。この解決法では、基地局はアップグレードされる必要がなく、ユーザ機器のサービスタイプ（例えば、ＬＢＯサービス又はＬＴＥサービス）は決定される必要がなく、複数のＡＰＮはセットされる必要がなく、コアネットワークＥＰＣはＬＢＯサービスをサポートするようアップグレードされる必要がない。先行技術においてユーザ機器に対して追加のＡＰＮ設定を実行し且つコアネットワークＥＰＣをアップグレードすることと比較して、本願で提供される解決法は利点を有している。異なるベンダーによって製造された、異なるモデルのユーザ機器が頻繁に基地局に入ることから、ＬＢＯ機能を一意的に設定することは難しく、そして、コアネットワークのアップグレードは数百万のユーザ機器の通常の通信に影響及ぼして、高い費用及び推進の困難性を引き起こす。しかし、本願のこの解決法では、基地局しかアップグレードされる必要がなく、それにより、影響を及ぼされる範囲は小さい。その上、基地局のアップグレードは、影響を最小限に減らすよう、夕刻に（又は夜間に）セットされ得る。
【０１０７】
本願のこの実施形態において、ＬＢＯコントローラは複数の基地局へ接続されてよく、基地局も複数のゲートウェイに接続されてよく、あるいは、ゲートウェイも複数の基地局へ接続されてよいことが留意されるべきである。１つのＬＢＯコントローラが複数のゲートウェイ又は複数の基地局を管理する場合に、ＬＢＯコントローラは、トンネル構築通知メッセージを複数の基地局又は複数のゲートウェイへ送信し、トンネル構築通知メッセージは、複数の基地局に関する情報及び複数のゲートウェイに関する情報を含むことができ、それにより、一対多のデータプレーン接続が構築される。
【０１０８】
任意に、本願のこの実施形態において、図５に示されるように、方法は、次のステップを含むことができる。
【０１０９】
Ｓ５１０：基地局がユーザ機器の識別情報を決定する。
【０１１０】
任意に、本願の実施形態において、ユーザ機器は、基地局のカバレッジから出るユーザ機器である。ユーザ機器の離脱は、ユーザ機器が他の基地局によってカバーされるセルに入る場合、又はユーザ機器がシャットダウンされる場合を含む。基地局は、基地局から離れるユーザ機器のＳ１ベアラを検出し、ＬＢＯコントローラに能動的に通知する。具体的に言えば、Ｓ５２０を実行する。
【０１１１】
Ｓ５２０：基地局が第５メッセージをＬＢＯコントローラへ送信する。
【０１１２】
第５メッセージは、第１サーバのＩＰアドレスに関する情報、ユーザ機器の識別情報、及び基地局のＩＰアドレスに関する情報、のうちの少なくとも１つを含む。第５メッセージは、ユーザ機器が基地局のカバレッジから出る場合に、イベントをＬＢＯコントローラに通知するために使用されてよく、あるいは、第５メッセージは、その後の関連情報を削除し始めるよう、周期的にＬＢＯコントローラへ送信される。
【０１１３】
Ｓ５３０：ＬＢＯコントローラが第６メッセージを基地局へ送信する。
【０１１４】
基地局の通知を受信した後、具体的に言えば、第５メッセージを受信した後、ＬＢＯコントローラは、第１サーバのＩＰアドレスとゲートウェイのＩＰアドレスとの間の対応に関する情報を削除するように、具体的に言えば、図３に対応するＬＢＯマッピング関係情報を削除するように基地局の指示するよう、第６メッセージを基地局へ送信する。任意に、第６メッセージは、第１サーバのＩＰアドレスとゲートウェイのＩＰアドレスとの間の対応に関する情報を削除するように基地局に指示するために使用され、そして、第６メッセージは、第１削除情報とも呼ばれ得る。
【０１１５】
Ｓ５４０：基地局が、第１サーバのＩＰアドレスとゲートウェイのＩＰアドレスとの間の対応に関する情報を削除する。
【０１１６】
Ｓ５５０：ＬＢＯコントローラが第７メッセージをゲートウェイへ送信する。
【０１１７】
任意に、第７メッセージは、第２削除情報とも呼ばれ得る。第７メッセージは、第１サーバのＩＰアドレスに関する情報、ユーザ機器の識別情報、及び基地局のＩＰアドレスに関する情報、のうちの少なくとも１つも含み、第１サーバのＩＰアドレスとゲートウェイのＩＰアドレスとの間の対応に関する情報を削除するようにゲートウェイに指示するために使用される。
【０１１８】
Ｓ５６０：ゲートウェイが、第１サーバのＩＰアドレスとゲートウェイのＩＰアドレスとの間の対応に関する情報を削除する。
【０１１９】
この実施形態は、ユーザ機器が１つの基地局（元の基地局）から他の基地局（対象の基地局）へハンドオーバーされるときに元の基地局のＬＢＯサービスを処理するプロセスを提供する。対象の基地局のＬＢＯサービスを処理するプロセスについては、図２乃至図４に対応する実施形態を参照されたい。例えば、ユーザ機器が対象の基地局に入るとき、図３に示される方法／ステップＳ３１０、Ｓ３２０、Ｓ３３０、Ｓ３４０、及びＳ３５０の実行がトリガされる。ユーザ機器が元の基地局から離れるとき、図５に示される方法／ステップＳ５１０、Ｓ５２０、Ｓ５３０、Ｓ５４０、Ｓ５５０、及びＳ５６０の実行がトリガされる。
【０１２０】
本願のこの実施形態で提供される解決法によれば、ＬＢＯサービスは柔軟に展開され、ＬＢＯサービス切替は、既存の３ＧＰＰハンドオーバープロトコルを変更する必要、ユーザ機器の追加の設定、及びコアネットワークの再設定なしで実装され、そして、先行技術を比較して、ネットワーク配置費用は削減され、配置効率は改善される。
【０１２１】
本願の実施形態に従うローカル・ブレイクアウトデータ伝送方法は、図１乃至図５を参照して上述されており、本願の実施形態で提供される基地局、ＬＢＯコントローラ、及びゲートウェイは、図６乃至図１１を参照して以下で記載される。
【０１２２】
図６は、本願の実施形態に従う基地局の略構造図である。基地局は、図２乃至図５の基地局を実装する機能を有している。機能は、ハードウェアを使用することによって実装されても、又は対応するソフトウェアを実行するハードウェアによって実装されてもよい。ハードウェア又はソフトウェアは、上記の機能に対応する１つ以上のユニット／モジュールを含む。
【０１２３】
図６に示されるように、基地局は、無線受信器６１０、受信器６２０、及び送信器６３０を含むことができる。
【０１２４】
無線受信器６１０は、ユーザ機器によって送信されたローカル・ブレイクアウト（Local  Breakout，ＬＢＯ）サービスデータを受信するよう構成される。ＬＢＯサービスデータは、第１サーバのインターネット・プロトコル（Internet  Protocol，ＩＰ）アドレスに関する情報を搬送する。
【０１２５】
受信器６２０は、ＬＢＯコントローラによって送信された第１メッセージを受信するよう更に構成される。第１メッセージは、第１サーバのＩＰアドレスとゲートウェイのＩＰアドレスとの間の対応に関する情報を含み、ゲートウェイは、ＬＢＯサービスデータを第１サーバへ転送するゲートウェイである。
【０１２６】
送信器６３０は、ＬＢＯサービスデータをゲートウェイへ送信するよう構成される。
【０１２７】
第１サーバはローカル・サーバである。具体的に言えば、第１サーバは、基地局及びユーザ機器の位置の近くに配置されているサーバである。ゲートウェイはローカル・ゲートウェイであり、基地局へのデータチャネルを構築し、ユーザ機器のＬＢＯサービスデータをローカル・サーバへ転送するよう構成される。
【０１２８】
本願のこの実施形態において、第１サーバのＩＰアドレスとゲートウェイのＩＰアドレスとの間の対応に関する情報は、ＬＢＯコントローラに対して前もって設定され、対応に関する情報は、少なくとも１つの第１サーバのＩＰアドレスとゲートウェイのＩＰアドレスとの間の対応に関する情報を含むことができる。ＬＢＯコントローラは、第１サーバのＩＰアドレスとゲートウェイのＩＰアドレスとの間の対応に関する設定された情報を基地局へ送信し、基地局は、第１サーバのＩＰアドレスとゲートウェイのＩＰアドレスとの間の対応に関する情報を受信及び記憶する。
【０１２９】
本願のこの実施形態において、基地局がユーザ機器によって送信されたＬＢＯサービスデータを受信した後、基地局に保持されている、第１サーバのＩＰアドレスとゲートウェイとの間の対応に関する情報が、ＬＢＯサービスデータで搬送される第１サーバのＩＰアドレスに関する情報に対応するゲートウェイを含まない場合に、基地局は要求をＬＢＯコントローラへ送信し、そして、第１メッセージは、代替的に、ＬＢＯコントローラによって基地局へ送られる、第１サーバのＩＰアドレスとゲートウェイとの間の対応に関する情報であってよい。本願のこの実施形態において、基地局が第１メッセージをＬＢＯコントローラに要求した後に第１メッセージがＬＢＯコントローラによって基地局へ送信される場合に、第１メッセージは、第１サーバのＩＰアドレスと、ＬＢＯサービスデータで搬送される第１サーバのＩＰアドレスに関する情報に対応するゲートウェイのＩＰアドレスとの間の対応に関する情報しか含まなくてよい。
【０１３０】
受信器６２０がユーザ機器によって送信されたＬＢＯサービスデータを受信する場合に、基地局は、ＬＢＯサービスデータで搬送された第１サーバのＩＰアドレスに関する情報と、基地局に保持されている、第１サーバのＩＰアドレスとゲートウェイとの間の対応に関する情報とに基づき、ＬＢＯサービスデータを転送するゲートウェイを決定し、そして、ＬＢＯサービスデータをゲートウェイへ送信する。
【０１３１】
本願のこの実施形態において、第１メッセージは、代替的に、サーバ設定情報と呼ばれ得ることが留意されるべきである。第１メッセージの具体的な名称は、本願のこの実施形態で制限されない。
【０１３２】
本願のこの実施形態は、基地局を提供する。基地局によって実行されるデータ伝送の具体的な説明については、図２で基地局によって実行されるデータ伝送の記載Ｓ２１０、Ｓ２２０、及びＳ２３０を参照されたい。簡潔さのために、詳細は、ここで再びは記載されない。
【０１３３】
本願のこの実施形態で提供される基地局によれば、基地局は、ユーザ機器によって送信されたＬＢＯサービスデータを受信し、ＬＢＯサービスデータで搬送される第１サーバのＩＰアドレスに関する情報と、ＬＢＯコントローラによって送信される、第１サーバのＩＰアドレスとゲートウェイのＩＰアドレスとの間の受信された対応とに基づき、ＬＢＯサービスデータを転送するゲートウェイを決定し、決定されたゲートウェイを使用することによってＬＢＯサービスデータを第１サーバへ転送し、それにより、ユーザ機器が複数のＡＰＮの設定をサポートせず且つ複数回のＰＤＣＨ起動をサポートしないという問題は解消され、それによって、既存の３ＧＰＰ標準プロトコルを変更せずにＬＢＯサービスを柔軟に展開し、且つ、オペレータによって実行されるＬＢＯサービス推進を容易にする。
【０１３４】
任意に、本願の実施形態において、送信器６３０は、第２メッセージをＬＢＯコントローラへ送信するよう更に構成される。第２メッセージは、第１サーバのＩＰアドレスに関する情報、ユーザ機器の識別情報、及び基地局のＩＰアドレスに関する情報、のうちの少なくとも１つを含む。
【０１３５】
受信器６２０がユーザ機器によって送信されたＬＢＯサービスデータを受信し、基地局に保持されている、第１サーバのＩＰアドレスとゲートウェイのＩＰアドレスとの間の対応に関する情報が、ＬＢＯサービスデータで搬送された第１サーバのＩＰアドレスに関する情報、及び第１サーバのＩＰアドレスとゲートウェイのＩＰアドレスとの間の対応に関する情報を含まない場合に、送信器６３０は、第１メッセージ、具体的に言えば、第１サーバのＩＰアドレスとゲートウェイのＩＰアドレスとの間の対応に関する情報、を基地局へ送信するようにＬＢＯコントローラに要求するよう、第２メッセージをＬＢＯコントローラへ送信する。受信器６２０が対応に関する情報を受信した後、送信器６３０はＬＢＯサービスをゲートウェイへ送信することができ、ゲートウェイはＬＢＯサービスを第１サーバへ更に転送する。
【０１３６】
本願のこの実施形態で提供される基地局については、基地局によって実行されるデータ伝送の記載されているプロセスが、図２におけるＳ２５０の記載中のそれと同じである。簡潔さのために、詳細は、ここで再びは記載されない。
【０１３７】
任意に、本願の実施形態において、受信器６２０は、ＬＢＯコントローラによって送信される少なくとも１つのサーバのＩＰアドレスに関する情報を受信するよう更に構成され、少なくとも１つは、第１サーバを含む。
【０１３８】
基地局とゲートウェイとの間のＬＢＯサービスデータの伝送の前に、本願のこの実施形態で提供される基地局は、サーバノード、具体的に言えば、図１に示される通信システム内の、第１サーバ、ＬＢＯコントローラ、及びゲートウェイなどのデバイスへ接続される必要があり、そして、ＬＢＯコントローラへの制御プレーン接続を構築する。制御プレーン接続は、基地局と第１サーバとの間の通信中に情報を報告及び管理するために使用される制御チャネルの構築である。
【０１３９】
本願のこの実施形態において、基地局は、無線信号送受信タスクを更に始める。具体的に言えば、基地局は、データをユーザ機器へ送信するか、又はユーザ機器によって送信されたデータを受信する。本願のこの実施形態では、トランシーバ装置が無線受信器及び無線送信器と呼ばれ得る。本願のこの実施形態において、基地局内の受信器６２０及び送信器６３０は、代替的に通信ユニットと呼ばれてもよく、基地局が他のネットワークエンティティと通信することを支援するよう構成され、例えば、基地局が図１に示される他の通信ネットワークエンティティ（例えば、ゲートウェイ又はＬＢＯコントローラなど）と通信することを支援するよう構成される。
【０１４０】
本願の実施形態において、基地局によってＬＢＯコントローラへの制御プレーン接続を構築することに関する具体的な記載については、図４のＳ４１０の記載を参照されたい。簡潔さのために、詳細は、ここで再びは記載されない。
【０１４１】
任意に、本願の実施形態において、図６に示されるように、基地局はプロセッサ６４０を含む。
【０１４２】
受信器６２０は、ＬＢＯコントローラによって送信された第３メッセージを受信するよう更に構成される。第３メッセージは、基地局のＩＰアドレスに関する情報、基地局のポート情報、ゲートウェイのＩＰアドレスに関する情報、及びゲートウェイのポート情報を含む。
【０１４３】
プロセッサ６４０は、第３メッセージに基づきゲートウェイへのデータプレーン接続を構築するよう構成される。
【０１４４】
本願のこの実施形態において、第３メッセージは、代替的に、トンネル構築通知メッセージと呼ばれ得る。しかし、これは、本願のこの実施形態で制限されない。
【０１４５】
プロセッサ６４０によって第３メッセージに基づきゲートウェイへのデータプレーン接続を構築する具体的なプロセスについては、図４のＳ４４０及びＳ４６０を参照されたい。簡潔さのために、詳細は、ここで再びは記載されない。
【０１４６】
任意に、本願の実施形態において、
送信器６３０は、第４メッセージをＬＢＯコントローラへ送信するよう更に構成され、第４メッセージは、第１サーバのＩＰアドレスに関する情報、ユーザ機器の識別情報、基地局のＩＰアドレスに関する情報、のうちの少なくとも１つを含み、第４メッセージは、第５メッセージを基地局へ送信するようにＬＢＯコントローラに指示するために使用され、
受信器６２０は、第５メッセージを受信するよう更に構成され、
プロセッサ６４０は、第５メッセージに基づき、第１サーバのＩＰアドレスとゲートウェイのＩＰアドレスとの間の対応に関する情報を削除するよう更に構成される。
【０１４７】
ユーザ機器が基地局によってカバーされているセルから出る場合に、送信器６３０は、ユーザ機器がセル内にないことをＬＢＯコントローラに通知するよう、第４メッセージをＬＢＯコントローラへ送信し、それにより、ＬＢＯコントローラは第５メッセージを基地局へ送信する。第５メッセージは、ユーザ機器に対応する第１サーバのＩＰアドレスとゲートウェイのＩＰアドレスとの間の対応に関する情報を削除するように基地局に指示するために使用される。本願のこの実施形態において、第５メッセージは、代替的に、削除情報と呼ばれ得る。しかし、第５メッセージの具体的な名称は、本願のこの実施形態で制限されない。
【０１４８】
本願のこの実施形態において、第４メッセージは、図５のＳ５２０における第５メッセージに対応し、第５メッセージは、図５のＳ５３０における第６メッセージに対応する。具体的な説明については、やはり図５のＳ５１０、Ｓ５２０、Ｓ５３０、及びＳ５４０を参照されたい。簡潔さのために、詳細は、ここで再びは記載されない。
【０１４９】
本願のこの実施形態で提供される基地局内の無線受信器６１０、受信器６２０、送信器６３０、及びプロセッサ６４０は、代替的に、対応するソフトウェアを実行することによって、図２乃至図５で基地局によって実行される方法／ステップを実装し得ることが留意されるべきである。図２乃至図５で基地局によって実行される方法／ステップがソフトウェアを使用することによって実装される場合に、図２乃至図５で基地局によって実行される方法／ステップは、対応する機能ユニット／機能モジュールを使用することによって実装されてもよい。図７に示されるように、基地局は、受信ユニット、送信ユニット、処理ユニット、記憶ユニット、及び通信ユニットを含むことができる。受信ユニット及び送信ユニットは、ユーザ機器と無線で通信するよう構成される。通信ユニットは、他のネットワーク要素（例えば、ゲートウェイ又はＬＢＯコントローラ）などと通信するよう構成される。
【０１５０】
その上、本願のこの実施形態で提供される基地局は、メモリ６５０を更に含んでもよい。メモリ６５０は、基地局に必要であるプログラム命令及びデータを記憶するよう構成される。
【０１５１】
図８は、ローカル・ブレイクアウトコントローラの略構造図である。ローカル・ブレイクアウトコントローラは、図２乃至図５のローカル・ブレイクアウトコントローラを実装する機能を有している。機能は、ハードウェアを使用することによって実装されても、又は対応するソフトウェアを実行するハードウェアによって実装されてもよい。ハードウェア又はソフトウェアは、上記の機能に対応する１つ以上のユニット／モジュールを含む。
【０１５２】
図８に示されるように、ローカル・ブレイクアウトコントローラは、送信器８１０及び受信器８２０を含むことができる。
【０１５３】
送信器８１０は、第１メッセージを基地局へ送信するよう構成される。第１メッセージは、第１サーバのインターネット・プロトコル（Internet  Protocol，ＩＰ）アドレスとゲートウェイのインターネット・プロトコルＩＰアドレスとの間の対応に関する情報を含み、第１メッセージは、ＬＢＯサービスデータを伝えるために使用され、ゲートウェイは、ＬＢＯサービスデータを第１サーバへ転送するゲートウェイである。
【０１５４】
ユーザ機器によって送信されたＬＢＯサービスデータを受信するとき、基地局は、ＬＢＯサービスデータで搬送された第１サーバのＩＰアドレスに関する情報と、第１メッセージとに基づき、ＬＢＯサービスデータを第１サーバへ転送するゲートウェイを決定し、それにより、ユーザ機器が複数のＡＰＮの設定をサポートせず且つ複数回のＰＤＣＨ起動をサポートしないという問題は解消され、それによって、既存の３ＧＰＰ標準プロトコルを変更せずにＬＢＯサービスを柔軟に展開し、且つ、オペレータによって実行されるＬＢＯサービス推進を容易にする。
【０１５５】
その上、先行技術においてＬＢＯサービスをサポートしローカルトラフィックを転送するためにセントラル・ゲートウェイＣＧＷをアップグレード及び再設定することと比較して、ＣＧＷ配置費用は削減される。
【０１５６】
ローカル・ブレイクアウトコントローラは、略してＬＢＯコントローラと呼ばれ得る。ＬＢＯコントローラによって第１メッセージを基地局へ送信することに関する具体的な記載については、図２におけるＳ２２０の具体的な記載を参照されたい。簡潔さのために、詳細は、ここで再びは記載されない。
【０１５７】
任意に、本願の実施形態において、ローカル・ブレイクアウトコントローラは、
受信器８２０が、基地局によって送信された第２メッセージを受信するよう構成され、第２メッセージが、第１サーバのＩＰアドレスに関する情報、ユーザ機器の識別情報、及び基地局のＩＰアドレスに関する情報、のうちの少なくとも１つを含む
ことを更に含む。
【０１５８】
基地局がユーザ機器によって送信されたＬＢＯサービスデータを受信し、基地局に保持されている、第１サーバのＩＰアドレスとゲートウェイのＩＰアドレスとの間の対応に関する情報が、第１サーバのＩＰアドレスと、ＬＢＯサービスデータで搬送された第１サーバのＩＰアドレスに関する情報と一致するゲートウェイのＩＰアドレスとの間の対応に関する情報を含まない場合に、基地局は、第１サーバのＩＰアドレスと、ＬＢＯサービスデータで搬送された第１サーバのＩＰアドレスに関する情報に対応するゲートウェイとの間の対応に関する情報を送信するようにＬＢＯコントローラに要求するよう、第２メッセージをＬＢＯコントローラへ送信する。受信器８２０は、基地局によって送信された第２メッセージを受信し、送信器８１０は、第１メッセージを基地局へ送信する。第１メッセージは、基地局によって要求される、第１サーバのＩＰアドレスとゲートウェイのＩＰアドレスとの間の対応に関する情報を含む。
【０１５９】
任意に、本願の実施形態において、送信器８１０は、少なくとも１つのサーバのＩＰアドレスに関する情報を基地局へ送信するよう更に構成され、少なくとも１つのサーバは、第１サーバを含む。
【０１６０】
基地局とゲートウェイとの間のＬＢＯサービスデータの伝送の前に、本願のこの実施形態で提供される基地局は、サーバノード、具体的に言えば、図１に示される通信システム内の、第１サーバ、ＬＢＯコントローラ、及びゲートウェイなどのデバイスへ接続される必要があり、そして、ＬＢＯコントローラは、基地局への制御プレーン接続を構築する。制御プレーン接続は、基地局と第１サーバとの間の通信中に情報を報告及び管理するために使用される制御チャネルの構築である。
【０１６１】
本願の実施形態において、ＬＢＯコントローラによって基地局への制御プレーン接続を構築することに関する具体的な記載については、図４のＳ４１０の記載を参照されたい。簡潔さのために、詳細は、ここで再びは記載されない。
【０１６２】
任意に、本願の実施形態において、送信器８１０は、第３メッセージを基地局へ送信するよう更に構成され、第３メッセージは、トンネル情報を含み、トンネル情報は、基地局のインターネット・プロトコルＩＰアドレスに関する情報、基地局のポート情報、ゲートウェイのＩＰアドレスに関する情報、及びゲートウェイのポート情報を含む。
【０１６３】
送信器８１０は、第４メッセージをゲートウェイへ送信するよう更に構成され、第４メッセージは、トンネル情報を含む。
【０１６４】
第３メッセージ及び第４メッセージは、基地局とゲートウェイとの間のデータプレーントンネルを構築するために使用される。
【０１６５】
本願のこの実施形態で提供されるＬＢＯコントローラについて、基地局とゲートウェイとの間のデータプレーントンネルを構築するプロセスは、図４で基地局とゲートウェイとの間のデータプレーントンネルを構築するプロセスと同じである。具体的な記載については、図４のＳ４３０、Ｓ４４０、及びＳ４５０を参照されたい。簡潔さのために、詳細は、ここで再びは記載されない。
【０１６６】
任意に、本願の実施形態において、送信器８１０は、第５メッセージをゲートウェイへ送信するよう更に構成され、第５メッセージは、第１サーバのインターネット・プロトコルＩＰアドレスとゲートウェイのインターネット・プロトコルＩＰアドレスとの間の対応に関する情報を含む。
【０１６７】
本願のこの実施形態において、第５メッセージは、図２のＳ２２０における第１メッセージに含まれる内容と同じ内容を有し得る。第５メッセージは、代替的に、少なくとも１つのサーバのＩＰアドレスに関する情報を含んでもよく、少なくとも１つのサーバは、第１サーバを含む。
【０１６８】
ゲートウェイは、ＬＢＯコントローラによって送信され、少なくとも１つのサーバのＩＰアドレスに関する情報を含むＬＢＯマッピング関係情報を受信及び記憶する。通信システム内で、複数の基地局によって送信されるＬＢＯサービスデータを転送するよう構成されたゲートウェイが存在し、ゲートウェイが第１サーバによって送信されたＬＢＯサービスデータを受信するとき、ゲートウェイは、ＬＢＯサービスデータを送信するために、ＬＢＯマッピング関係情報に基づきＬＢＯサービスデータを対応する基地局へ転送する。
【０１６９】
任意に、本願の実施形態において、
受信器８２０は、基地局によって送信された第６メッセージを受信するよう構成され、第６メッセージは、第１サーバのＩＰアドレスに関する情報、ユーザ機器の識別情報、及び基地局のＩＰアドレスに関する情報、のうちの少なくとも１つを含み、
送信器８１０は、第７メッセージを基地局へ送信するよう構成され、第７メッセージは、第１サーバのＩＰアドレスとゲートウェイのＩＰアドレスとの間の対応に関する情報を削除するように指示するために使用される。
【０１７０】
ユーザ機器が基地局によってサービスを提供されるセルから出る場合に、基地局は、ユーザ機器が去ることをＬＢＯコントローラに通知する。受信器８２０が通知情報、すなわち、第６メッセージを受信した後、送信器８１０は第７メッセージを基地局へ送信し、第７メッセージは、ユーザ機器に対応する第１サーバのＩＰアドレスとゲートウェイのＩＰアドレスとの間の対応に関する情報を削除するように基地局に指示するために使用される。
【０１７１】
本願のこの実施形態において、第７メッセージは、代替的に、削除情報と呼ばれ得る。しかし、第７メッセージの具体的な名称は、本願のこの実施形態で制限されない。
【０１７２】
本願のこの実施形態で提供されるＬＢＯコントローラによって実行されるプロセスは、図５のＳ５２０及びＳ５３０の記載されているプロセスと同じである。簡潔さのために、図５のＳ５２０及びＳ５３０を参照されたい。しかし、本願のこの実施形態における第６メッセージは、図５のＳ５２０における第５メッセージに対応し、第７メッセージは、図５のＳ５３０における第６メッセージに対応すると理解される必要がある。
【０１７３】
任意に、本願のこの実施形態において、送信器８１０は、第８メッセージをゲートウェイへ送信するよう更に構成され、第８メッセージは、第１サーバのＩＰアドレスとゲートウェイのＩＰアドレスとの間の対応に関する情報を削除するように指示するために使用される。
【０１７４】
基地局によって送信された通知メッセージを受信した後、ＬＢＯコントローラの受信器８２０は、第７メッセージを基地局へ送信し、第８メッセージをゲートウェイへ送信する。プロセスの具体的な記載は、図５におけるＳ５５０の記載されているプロセスと同じである。詳細については、図５のＳ５５０を参照されたい。しかし、本願のこの実施形態における第８メッセージは、図５のＳ５２０における第７メッセージに対応すると理解される必要がある。
【０１７５】
本願のこの実施形態で提供されるローカル・ブレイクアウトコントローラ内の送信器８１０及び受信器８２０は、代替的に、対応するソフトウェアを実行することによって、図２乃至図５でＬＢＯコントローラによって実行される方法／ステップを実装し得ることが更に留意されるべきである。図２乃至図５でＬＢＯコントローラによって実行される方法／ステップがソフトウェアを使用することによって実装される場合に、図２乃至図５でＬＢＯコントローラによって実行される方法／ステップは、対応する機能ユニット／機能モジュールを使用することによって実装されてもよい。図９に示されるように、ＬＢＯコントローラは、受信ユニット、送信ユニット、処理ユニット、及び記憶ユニットを含むことができる。
【０１７６】
その上、本願のこの実施形態で提供されるＬＢＯコントローラは、プロセッサ８３０及びメモリ８４０を更に含んでもよい。メモリ８４０は、ＬＢＯコントローラに必要であるプログラム命令及びデータを記憶するよう構成される。プロセッサ８３０は、メモリ８４０内の命令を呼び出して、図２乃至図５でＬＢＯコントローラによって実行される方法ステップを実行するよう構成される。
【０１７７】
論理エンティティとして働くローカル・ブレイクアウトコントローラは、独立したネットワーク要素であっても、又は基地局に組み込まれてもよいことが留意されるべきである。ローカル・ブレイクアウトコントローラが基地局に組み込まれる場合に、ローカル・ブレイクアウトコントローラの特定の物理コンポーネント（例えば、送信器８１０及び受信器８２０）は、基地局に対応する物理コンポーネントによって共有されても、又は独立して使用されてもよい。
【０１７８】
図１０は、ゲートウェイの略構造図である。ゲートウェイは、図２乃至図５のゲートウェイを実装する機能を有している。機能は、ハードウェアを使用することによって実装されても、又は対応するソフトウェアを実行するハードウェアによって実装されてもよい。ハードウェア又はソフトウェアは、上記の機能に対応する１つ以上のユニット／モジュールを含む。
【０１７９】
図１０に示されるように、ゲートウェイは、受信器１０１０及び送信器１０２０を含むことができる。
【０１８０】
受信器１０１０は、基地局によって送信されたローカル・ブレイクアウトＬＢＯサービスデータを受信するよう構成され、ＬＢＯサービスデータは、第１サーバのインターネット・プロトコルＩＰアドレスに関する情報を搬送する。送信器１０２０は、ＬＢＯサービスデータを第１サーバへ送信するよう構成される。
【０１８１】
プロセスは、図２におけるＳ２４０のプロセスと同じである。具体的な記載については、図２におけるＳ２４０の記載を参照されたい。簡潔さのために、詳細は、ここで再びは記載されない。
【０１８２】
本願のこの実施形態で提供されるローカル・ブレイクアウトデータ伝送方法によれば、ユーザ機器が複数のＡＰＮの設定をサポートせず且つ複数回のＰＤＣＨ起動をサポートしないという問題は解消され、それによって、既存の３ＧＰＰ標準プロトコルを変更せずにＬＢＯサービスを柔軟に展開し、且つ、オペレータによって実行されるＬＢＯサービス推進を容易にする。
【０１８３】
ゲートウェイと基地局との間のＬＢＯサービスデータの伝送の前に、データプレーントンネル接続が基地局とゲートウェイとの間に構築される必要がある。
【０１８４】
任意に、本願の実施形態において、ゲートウェイはプロセッサ１０３０を更に含む。
【０１８５】
受信器１０１０は、ローカル・ブレイクアウトＬＢＯコントローラによって送信された第１メッセージを受信するよう更に構成される。第１メッセージは、基地局のインターネット・プロトコルＩＰアドレスに関する情報、基地局のポート情報、ゲートウェイのインターネット・プロトコルＩＰアドレスに関する情報、及びゲートウェイのポート情報を含む。
【０１８６】
プロセッサ１０３０は、トンネル構築通知メッセージに基づき基地局へのデータプレーン接続を構築するよう構成される。
【０１８７】
本願のこの実施形態において、第１メッセージは、代替的に、トンネル構築通知メッセージと呼ばれ得る。しかし、第１メッセージの具体的な名称は、本願のこの実施形態で制限されない。
【０１８８】
本願の実施形態において、プロセスは、図４におけるＳ４５０及びＳ４６０のプロセスと同じである。具体的な記載については、図４のＳ４５０及びＳ４６０を参照されたい。簡潔さのために、詳細は、ここで再びは記載されない。本願のこの実施形態における第１メッセージは、図４のＳ４５０における第４メッセージに対応することが留意されるべきである。
【０１８９】
任意に、本願の実施形態において、受信器１０１０は、ローカル・ブレイクアウトＬＢＯコントローラによって送信された第１メッセージを受信するよう更に構成され、第１メッセージは、第１サーバのＩＰアドレスとゲートウェイのＩＰアドレスとの間の対応に関する情報を含む。
【０１９０】
任意に、本願の実施形態において、受信器１０１０は、ＬＢＯコントローラによって送信された第２メッセージを受信するよう更に構成される。
【０１９１】
プロセッサ１０３０は、第２メッセージに基づき第１メッセージを削除するよう更に構成される。プロセスは、図５におけるＳ５５０及びＳ５６０の記載中のそれと同様である。本願のこの実施形態における第２メッセージは、図５のＳ５５０における第７メッセージに対応する。具体的な記載については、図５のＳ５５０及びＳ５６０を参照されたい。簡潔さのために、詳細は、ここで再びは記載されない。
【０１９２】
本願のこの実施形態において、第２メッセージは、削除メッセージとも呼ばれ得る。しかし、第２メッセージの具体的な名称は、本願のこの実施形態で制限されない。
【０１９３】
本願のこの実施形態で提供されるゲートウェイ内の受信器１０１０及び送信器１０２０は、代替的に、対応するソフトウェアを実行することによって、図２乃至図５でゲートウェイによって実行される方法／ステップを実装し得ることが更に留意されるべきである。図２乃至図５でゲートウェイによって実行される方法／ステップがソフトウェアを使用することによって実装される場合に、図２乃至図５でゲートウェイによって実行される方法／ステップは、対応する機能ユニット／機能モジュールを使用することによって実装されてもよい。図１１に示されるように、ゲートウェイは、受信ユニット、送信ユニット、処理ユニット、及び記憶ユニットを含むことができる。
【０１９４】
その上、本願のこの実施形態で提供されるゲートウェイは、プロセッサ１０３０及びメモリ１０４０を更に含んでもよい。メモリ１０４０は、ゲートウェイに必要であるプログラム命令及びデータを記憶するよう構成される。プロセッサ１０３０は、メモリ１０４０内の命令を呼び出して、図２乃至図５でゲートウェイによって実行される方法ステップを実行するよう構成される。
【０１９５】
論理エンティティとして働くゲートウェイは、独立したネットワーク要素であっても、又は基地局に組み込まれてもよいことが留意されるべきである。ゲートウェイが基地局に組み込まれる場合に、ゲートウェイの特定の物理コンポーネント（例えば、受信器１０１０、送信器１０２０、及びプロセッサ１０３０）は、基地局に対応する物理コンポーネントによって共有されても、又は独立して使用されてもよい。
【０１９６】
本願の実施形態は、通信システムを更に提供する。通信システムは、図６に示される少なくとも１つの基地局と、図８に示されるＬＢＯコントローラと、図１０に示されるゲートウェイと、少なくとも１つの第１サーバとを含むことができる。
【０１９７】
少なくとも１つの基地局は、ＬＢＯサービスアクセスを提供するよう構成される。ＬＢＯコントローラは、少なくとも１つ基地局及びゲートウェイを管理及び設定するよう構成される。ゲートウェイは、ＬＢＯサービスを担うために基地局へのデータチャネルを構築するよう構成される。少なくとも１つの第１サーバは、ＬＢＯサービスを提供するよう構成される。
【０１９８】
本願の実施形態は、上記の基地局によって使用されるコンピュータソフトウェア命令を記憶するよう構成されるコンピュータ記憶媒体を提供し、コンピュータ記憶媒体は、前述の第７の態様を実行するよう設計されたプログラムを含む。
【０１９９】
本願の実施形態は、上記のローカル・ブレイクアウトコントローラによって使用されるコンピュータソフトウェア命令を記憶するよう構成されるコンピュータ記憶媒体を提供し、コンピュータ記憶媒体は、前述の第８の態様を実行するよう設計されたプログラムを含む。
【０２００】
本願の実施形態は、上記のゲートウェイによって使用されるコンピュータソフトウェア命令を記憶するよう構成されるコンピュータ記憶媒体を提供し、コンピュータ記憶媒体は、前述の第９の態様を実行するよう設計されたプログラムを含む。
【０２０１】
図６で提供される基地局、図８で提供されるローカル・ブレイクアウトコントローラ、及び図１０で提供されるゲートウェイに含まれるプロセッサ６４０／８３０／１０３０は、中央演算処理装置（Central  Processing  Unit，ＣＰＵ）であっても、あるいは、他の汎用プロセッサ、デジタル信号プロセッサ（Digital  Signal  Processor，ＤＳＰ）、特定用途向け集積回路（Application  Specific  Integrated  Circuit，ＡＳＩＣ）、フィールド・プログラマブル・ゲート・アレイ（Field-Programmable  Gate  Array，ＦＰＧＡ）又は他のプログラム可能な論理デバイス、ディスクリート・ゲート又はトランジスタ論理デバイス、ディスクリート・ハードウェア部品、などであってもよい。汎用プロセッサは、マイクロプロセッサであってもよく、あるいは、プロセッサは、如何なる従来のプロセッサなどであってもよい。
【０２０２】
実施プロセスにおいて、上記の方法の各ステップは、プロセッサ６４０／８３０／１０３０内のハードウェアの集積論理回路又はソフトウェアの形での命令を使用することによって、実装され得る。本願の実施形態を参照して記載される方法のステップは、ハードウェア・プロセッサによって直接実行されても、又はプロセッサ内のハードウェアとソフトウェアモジュールとの組み合わせを使用することによって実行されてもよい。ソフトウェアモジュールは、ランダム・アクセス・メモリ、フラッシュメモリ、リード・オンリー・メモリ、プログラム可能なリード・オンリー・メモリ若しくは電気的消去可能なプログラム可能メモリ、又はレジスタなどの、当該技術における成熟した記憶媒体に位置し得る。記憶媒体はメモリに位置し、プロセッサ６４０／８３０／１０３０は、メモリ内の情報を読み出し、プロセッサのハードウェアと一緒に上記の方法のステップを実装する。
【０２０３】
メモリ６５０／８４０／１０４０は、リード・オンリー・メモリ及びランダム・アクセス・メモリを含むことができ、命令及びデータをプロセッサ６４０／８３０／１０３０へ供給する。メモリの一部は、不揮発性ランダム・アクセス・メモリを更に含むことができる。
【０２０４】
本願で提供されるいくつかの実施形態において、開示されているシステム、基地局、ローカル・ブレイクアウトコントローラ、ゲートウェイ、及びデータ伝送方法は、他の様態で実装されてもよいことが理解されるべきである。例えば、記載されている装置の実施形態は例にすぎない。例えば、ユニット分割は論理機能分割にすぎず、実際の実際では他の分割であってもよい。例えば、複数のユニット又はコンポーネントは、他のシステムに結合又は一体化されてもよく、あるいは、いくつかの特徴は無視されるか又は実行されなくてもよい。その上、表示又は議論されている相互結合又は直接的な結合若しくは通信接続は、何らかのインターフェース、装置若しくはユニット間の間接的な結合若しくは通信接続、電気的な接続、機械的な接続、又は他の形での接続を通じて実装されてもよい。別個の部分として記載されているユニットは、物理的に分離していてもしていなくてもよく、ユニットとして表示されている部分は、物理的なユニットであってもなくてもよく、１つの場所に位置しても、あるいは、複数のネットワークユニット上に分布してもよい。ユニットの一部又は全ては、本願の実施形態の解決法の目的を達成すべく実際のニーズに基づき選択され得る。その上、本願の実施形態における機能ユニットは、１つの処理ユニットに一体化されてもよく、あるいは、ユニットの夫々が物理的に単独で存在してもよく、あるいは、２つ以上のユニットが１つのユニットにまとめられる。一体化されたユニットは、ハードウェアの形で実装されても、又はソフトウェア機能ユニットの形で実装されてもよい。
【０２０５】
一体化されたユニットがソフトウェア機能ユニットの形で実装され、独立した製品として販売又は使用される場合に、一体化されたユニットはコンピュータ可読記憶媒体に記憶されてもよい。そのような理解に基づき、本願の技術的解決法は本質的に、あるいは、先行技術に寄与する部分、又は技術的解決法の全て若しくは一部は、ソフトウェア製品の形で実装され得る。ソフトウェア製品は、記憶媒体に記憶され、本願の実施形態で記載されている方法のステップの全て又は一部を実行するようにコンピュータ装置（パーソナル・コンピュータ、サーバ、又はネットワークデバイスであってよい。）に指示するためのいくつかの命令を含む。上記の記憶媒体は、ＵＳＢフラッシュドライブ、リムーバブル・ハード・ディスク、リード・オンリー・メモリ（Read-Only  Memory，ＲＯＭ）、ランダム・アクセス・メモリ（Random  Access  Memory，ＲＡＭ）、磁気ディスク、又は光ディスクなどの、プログラムコードを記憶することができる如何なる媒体も含む。
【０２０６】
上記の説明は、本願の具体的な実施にすぎず、本願の保護範囲を制限する意図はない。本願で開示されている技術的範囲内で当業者によって考え出される如何なる同等の変更又は置換も、本願の保護範囲内にあるべきである。従って、本願の保護範囲は、特許請求の範囲の保護範囲に従うべきである。
【図１】
0006871427.tif 000002
【図２】
0006871427.tif 000003
【図３】
0006871427.tif 000004
【図４】
0006871427.tif 000005
【図５】
0006871427.tif 000006
【図６】
0006871427.tif 000007
【図７】
0006871427.tif 000008
【図８】
0006871427.tif 000009
【図９】
0006871427.tif 000010
【図１０】
0006871427.tif 000011
【図１１】
0006871427.tif 000012